(57)【要約】本発明は、基地局によってＭＩＢを送信するための極端に高い情報オーバーヘッドの結果として起こる基地局の高電力消費についての先行技術の問題を解消するために、情報伝送方法及び装置を提供する。方法は、第１帯域幅表示情報及びラジオ・フレーム・コンフィギュレーション・フィールドを含むＭＩＢを基地局によって生成し、ラジオ・フレームにおいて時間周波数リソースを使用することでＭＩＢを送信することである。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明の実施形態における基地局によって送信されるＭＩＢは、２つのコンフィギュレーション・パラメータ、すなわち、第１帯域幅表示情報及びラジオ・フレーム・コンフィギュレーション・フィールドを含む。従って、基地局によってＭＩＢを送信するための情報オーバーヘッドは低減され、基地局の電力消費は削減される。
2019514284.tif 000002
【特許請求の範囲】
【請求項１】
情報伝送方法であって、
基地局によってマスタ情報ブロックＭＩＢを生成し、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し、
前記基地局によって、前記ラジオ・フレームにおいて時間周波数リソースを使用することで前記ＭＩＢを送信する
ことを有する方法。
【請求項２】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項１に記載の方法。
【請求項３】
前記ラジオ・フレーム・コンフィギュレーション・フィールドは、前記ＳＩＢ１のリソースが前記ラジオ・フレームにおいて構成されることを示し、当該方法は、前記基地局によって、前記ラジオ・フレームにおいて設定される第１リソース・セット内のリソースを使用することで前記ＳＩＢ１を送信することを更に有し、あるいは、
前記ラジオ・フレーム・コンフィギュレーション・フィールドは、前記ＳＩＢ１のリソースが前記ラジオ・フレームにおいて構成されないことを示し、当該方法は、前記ラジオ・フレームを使用することで前記ＳＩＢ１を前記基地局によって送信することをスキップすることを更に有する、
請求項１又は２に記載の方法。
【請求項４】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用される、
請求項３に記載の方法。
【請求項５】
前記ラジオ・フレーム・コンフィギュレーション・フィールドは、前記ページング・メッセージのリソースが前記ラジオ・フレームにおいて構成されることを示し、当該方法は、前記基地局によって、前記ラジオ・フレームにおいて設定される第２リソース・セット内のリソースを使用することで前記ページング・メッセージを送信することを更に有し、あるいは、
前記ラジオ・フレーム・コンフィギュレーション・フィールドは、前記ページング・メッセージのリソースが前記ラジオ・フレームにおいて構成されないことを示し、当該方法は、前記ラジオ・フレームを使用することで前記ページング・メッセージを前記基地局によって送信することをスキップすることを更に有する、
請求項１乃至４のうちいずれか一項に記載の方法。
【請求項６】
前記ラジオ・フレーム・コンフィギュレーション・フィールドは、前記ＭＢＳＦＮリソースが前記ラジオ・フレームにおいて構成されることを示し、当該方法は、前記基地局によって、前記ラジオ・フレームにおいて設定される第３リソース・セット内のリソースを前記ＭＢＳＦＮリソースとして指定することを更に有し、あるいは、
前記ラジオ・フレーム・コンフィギュレーション・フィールドは、前記ＭＢＳＦＮリソースが前記ラジオ・フレームにおいて構成されないことを示し、当該方法は、前記ＭＢＳＦＮリソースとして前記ラジオ・フレームにおいてリソースを前記基地局によって指定することをスキップすることを更に有する、
請求項１乃至５のうちいずれか一項に記載の方法。
【請求項７】
前記ラジオ・フレーム・コンフィギュレーション・フィールドは、前記ＰＲＡＣＨリソースが前記ラジオ・フレームにおいて構成されることを示し、当該方法は、前記基地局によって、前記ラジオ・フレームにおいて設定される第４リソース・セット内のリソースを前記ＰＲＡＣＨリソースとして指定することを更に有し、あるいは、
前記ラジオ・フレーム・コンフィギュレーション・フィールドは、前記ＰＲＡＣＨリソースが前記ラジオ・フレームにおいて構成されないことを示し、当該方法は、前記ＰＲＡＣＨリソースとして前記ラジオ・フレームにおいてリソースを前記基地局によって指定することをスキップすることを更に有する、
請求項１乃至６のうちいずれか一項に記載の方法。
【請求項８】
情報伝送方法であって、
端末デバイスによって、予め設定された帯域幅範囲内でマスタ情報ブロックＭＩＢを探し、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し、
前記ラジオ・フレームにおいて前記ＭＩＢを見つける場合に、前記端末デバイスによって、前記ＭＩＢに含まれる前記第１帯域幅表示情報に基づき、前記システム帯域幅の前記第１範囲を決定し、
前記ＭＩＢに含まれる前記ラジオ・フレーム・コンフィギュレーション・フィールドに基づき、前記ラジオ・フレームのコンフィギュレーション情報を取得する
ことを有する方法。
【請求項９】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項８に記載の方法。
【請求項１０】
前記ラジオ・フレーム・コンフィギュレーション・フィールドは、前記ＳＩＢ１のリソースが前記ラジオ・フレームにおいて構成されることを示し、前記ラジオ・フレームの前記コンフィギュレーション情報は、第１リソース・セット内のリソースが前記ＳＩＢ１を送信するために使用されることであり、前記端末デバイスが前記ラジオ・フレームの前記コンフィギュレーション情報を取得した後に、当該方法は、前記端末デバイスによって前記ＳＩＢ１について前記ラジオ・フレームにおいて前記第１リソース・セット内の全てのリソースを探索し、前記第１リソース・セット内のリソース上で前記ＳＩＢ１を取得することを更に有し、あるいは、
前記ラジオ・フレーム・コンフィギュレーション・フィールドは、前記ＳＩＢ１のリソースが前記ラジオ・フレームにおいて構成されないことを示し、前記ラジオ・フレームの前記コンフィギュレーション情報は、前記ラジオ・フレームが前記ＳＩＢ１を送信するために使用されないことであり、前記端末デバイスが前記ラジオ・フレームの前記コンフィギュレーション情報を取得した後に、当該方法は、前記ＳＩＢ１について前記ラジオ・フレームを前記端末デバイスによって探索することをスキップすることを更に有する、
請求項８又は９に記載の方法。
【請求項１１】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用され、
前記端末デバイスが前記ＳＩＢ１を取得した後に、当該方法は、
前記端末デバイスによって、前記第２帯域幅表示情報に基づき前記第１範囲内にある前記システム帯域幅を決定し、
前記端末デバイスによって、前記ラジオ・フレームの前記フレーム番号情報に基づき前記ラジオ・フレームのフレーム番号を決定する
ことを更に有する、
請求項１０に記載の方法。
【請求項１２】
前記ラジオ・フレーム・コンフィギュレーション・フィールドは、前記ページング・メッセージのリソースが前記ラジオ・フレームにおいて構成されることを示し、前記ラジオ・フレームの前記コンフィギュレーション情報は、第２リソース・セット内のリソースが前記ページング・メッセージを送信するために使用されることであり、前記端末デバイスが前記ラジオ・フレームの前記コンフィギュレーション情報を取得した後に、当該方法は、前記端末デバイスによって前記ページング・メッセージについて前記ラジオ・フレームにおいて前記第２リソース・セット内の全てのリソースを探索し、前記第２リソース・セット内のリソース上で前記ページング・メッセージを取得することを更に有し、あるいは、
前記ラジオ・フレーム・コンフィギュレーション・フィールドは、前記ページング・メッセージのリソースが前記ラジオ・フレームにおいて構成されないことを示し、前記ラジオ・フレームの前記コンフィギュレーション情報は、前記ラジオ・フレームが前記ページング・メッセージを送信するために使用されないことであり、前記端末デバイスが前記ラジオ・フレームの前記コンフィギュレーション情報を取得した後に、当該方法は、前記ページング・メッセージについて前記ラジオ・フレームを前記端末デバイスによって探索することをスキップすることを更に有する、
請求項８乃至１１のうちいずれか一項に記載の方法。
【請求項１３】
前記ラジオ・フレーム・コンフィギュレーション・フィールドは、前記ＭＢＳＦＮリソースが前記ラジオ・フレームにおいて構成されることを示し、前記ラジオ・フレームの前記コンフィギュレーション情報は、第３リソース・セット内のリソースが前記ＭＢＳＦＮリソースとして指定されることであり、前記端末デバイスが前記ラジオ・フレームの前記コンフィギュレーション情報を取得した後に、当該方法は、前記端末デバイスによって、前記ラジオ・フレームにおいて、前記第３リソース・セット内で前記ＭＢＳＦＮリソースを探して決定することを更に有し、あるいは、
前記ラジオ・フレーム・コンフィギュレーション・フィールドは、前記ＭＢＳＦＮリソースが前記ラジオ・フレームにおいて構成されないことを示し、前記ラジオ・フレームの前記コンフィギュレーション情報は、前記ラジオ・フレームが前記ＭＢＳＦＮリソースを有さないことであり、前記端末デバイスが前記ラジオ・フレームの前記コンフィギュレーション情報を取得した後に、当該方法は、前記ＭＢＳＦＮリソースについて前記ラジオ・フレームを前記端末デバイスによって探索することをスキップすることを更に有する、
請求項８乃至１２のうちいずれか一項に記載の方法。
【請求項１４】
前記ラジオ・フレーム・コンフィギュレーション・フィールドは、前記ＰＲＡＣＨリソースが前記ラジオ・フレームにおいて構成されることを示し、前記ラジオ・フレームの前記コンフィギュレーション情報は、第４リソース・セット内のリソースが前記ＰＲＡＣＨリソースとして指定されることであり、該ＰＲＡＣＨリソースは、ＰＲＡＣＨメッセージを送信するために前記端末デバイスによって使用され、前記端末デバイスが前記ラジオ・フレームの前記コンフィギュレーション情報を取得した後に、当該方法は、前記端末デバイスによって、前記ラジオ・フレームにおいて前記第４リソース・セット内のリソースを使用することで基地局へ前記ＰＲＡＣＨメッセージを送信することを更に有し、あるいは、
前記ラジオ・フレーム・コンフィギュレーション・フィールドは、前記ＰＲＡＣＨリソースが前記ラジオ・フレームにおいて構成されないことを示し、前記ラジオ・フレームの前記コンフィギュレーション情報は、前記ラジオ・フレームが前記ＰＲＡＣＨリソースを有さないことであり、前記端末デバイスが前記ラジオ・フレームの前記コンフィギュレーション情報を取得した後に、当該方法は、前記ラジオ・フレームを使用することでＰＲＡＣＨメッセージを前記端末デバイスによって送信することをスキップすることを更に有する、
請求項８乃至１３のうちいずれか一項に記載の方法。
【請求項１５】
マスタ情報ブロックＭＩＢを生成するよう構成される処理部であり、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示す、前記処理部と、
前記ラジオ・フレームにおいて時間周波数リソースを使用することで前記ＭＩＢを送信するよう構成される送信部と
を有する基地局。
【請求項１６】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項１５に記載の基地局。
【請求項１７】
前記ラジオ・フレーム・コンフィギュレーション・フィールドは、前記ＳＩＢ１のリソースが前記ラジオ・フレームにおいて構成されることを示し、前記送信部は、前記ラジオ・フレームにおいて設定される第１リソース・セット内のリソースを使用することで前記ＳＩＢ１を送信するよう更に構成され、あるいは、
前記ラジオ・フレーム・コンフィギュレーション・フィールドは、前記ＳＩＢ１のリソースが前記ラジオ・フレームにおいて構成されないことを示し、前記送信部は、前記ラジオ・フレームを使用することで前記ＳＩＢ１を送信することをスキップする、
請求項１５又は１６に記載の基地局。
【請求項１８】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用される、
請求項１７に記載の基地局。
【請求項１９】
前記ラジオ・フレーム・コンフィギュレーション・フィールドは、前記ページング・メッセージのリソースが前記ラジオ・フレームにおいて構成されることを示し、前記送信部は、前記ラジオ・フレームにおいて設定される第２リソース・セット内のリソースを使用することで前記ページング・メッセージを送信するよう更に構成され、あるいは、
前記ラジオ・フレーム・コンフィギュレーション・フィールドは、前記ページング・メッセージのリソースが前記ラジオ・フレームにおいて構成されないことを示し、前記送信部は、前記ラジオ・フレームを使用することで前記ページング・メッセージを送信することをスキップする、
請求項１５乃至１８のうちいずれか一項に記載の基地局。
【請求項２０】
前記ラジオ・フレーム・コンフィギュレーション・フィールドは、前記ＭＢＳＦＮリソースが前記ラジオ・フレームにおいて構成されることを示し、前記処理部は、前記ラジオ・フレームにおいて設定される第３リソース・セット内のリソースを前記ＭＢＳＦＮリソースとして指定するよう更に構成され、あるいは、
前記ラジオ・フレーム・コンフィギュレーション・フィールドは、前記ＭＢＳＦＮリソースが前記ラジオ・フレームにおいて構成されないことを示し、前記処理部は、前記ＭＢＳＦＮリソースとして前記ラジオ・フレームにおいてリソースを指定することをスキップする、
請求項１５乃至１９のうちいずれか一項に記載の基地局。
【請求項２１】
前記ラジオ・フレーム・コンフィギュレーション・フィールドは、前記ＰＲＡＣＨリソースが前記ラジオ・フレームにおいて構成されることを示し、前記処理部は、前記ラジオ・フレームにおいて設定される第４リソース・セット内のリソースを前記ＰＲＡＣＨリソースとして指定するよう更に構成され、あるいは、
前記ラジオ・フレーム・コンフィギュレーション・フィールドは、前記ＰＲＡＣＨリソースが前記ラジオ・フレームにおいて構成されないことを示し、前記処理部は、前記ＰＲＡＣＨリソースとして前記ラジオ・フレームにおいてリソースを指定することをスキップする、
請求項１５乃至２０のうちいずれか一項に記載の基地局。
【請求項２２】
予め設定された帯域幅範囲内でデータを受信するよう構成される受信部と、
前記受信部によって受信された前記データからマスタ情報ブロックＭＩＢを探し、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し；前記ラジオ・フレームにおいて前記ＭＩＢを見つけ；前記ＭＩＢに含まれる前記第１帯域幅表示情報に基づき、前記システム帯域幅の前記第１範囲を決定し；前記ＭＩＢに含まれる前記ラジオ・フレーム・コンフィギュレーション・フィールドに基づき前記ラジオ・フレームのコンフィギュレーション情報を取得するよう構成される処理部と
を有する端末デバイス。
【請求項２３】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項２２に記載の端末デバイス。
【請求項２４】
前記ラジオ・フレーム・コンフィギュレーション・フィールドは、前記ＳＩＢ１のリソースが前記ラジオ・フレームにおいて構成されることを示し、前記ラジオ・フレームの前記コンフィギュレーション情報は、第１リソース・セット内のリソースが前記ＳＩＢ１を送信するために使用されることであり、前記処理部は、前記ラジオ・フレームの前記コンフィギュレーション情報を取得した後に、前記ＳＩＢ１について前記ラジオ・フレームにおいて前記第１リソース・セット内の全てのリソースを探索し、前記第１リソース・セット内のリソース上で前記ＳＩＢ１を取得するよう更に構成され、あるいは、
前記ラジオ・フレーム・コンフィギュレーション・フィールドは、前記ＳＩＢ１のリソースが前記ラジオ・フレームにおいて構成されないことを示し、前記ラジオ・フレームの前記コンフィギュレーション情報は、前記ラジオ・フレームが前記ＳＩＢ１を送信するために使用されないことであり、前記処理部は、前記ラジオ・フレームの前記コンフィギュレーション情報を取得した後に、前記ＳＩＢ１について前記ラジオ・フレームを探索することをスキップする、
請求項２２又は２３に記載の端末デバイス。
【請求項２５】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用され、
前記処理部は、前記ＳＩＢ１を取得した後に、前記第２帯域幅表示情報に基づき前記第１範囲内にある前記システム帯域幅を決定し、
前記ラジオ・フレームの前記フレーム番号情報に基づき前記ラジオ・フレームのフレーム番号を決定するよう更に構成される、
請求項２４に記載の端末デバイス。
【請求項２６】
前記ラジオ・フレーム・コンフィギュレーション・フィールドは、前記ページング・メッセージのリソースが前記ラジオ・フレームにおいて構成されることを示し、前記ラジオ・フレームの前記コンフィギュレーション情報は、第２リソース・セット内のリソースが前記ページング・メッセージを送信するために使用されることであり、前記処理部は、前記ラジオ・フレームの前記コンフィギュレーション情報を取得した後に、前記ページング・メッセージについて前記ラジオ・フレームにおいて前記第２リソース・セット内の全てのリソースを探索し、前記第２リソース・セット内のリソース上で前記ページング・メッセージを取得するよう更に構成され、あるいは、
前記ラジオ・フレーム・コンフィギュレーション・フィールドは、前記ページング・メッセージのリソースが前記ラジオ・フレームにおいて構成されないことを示し、前記ラジオ・フレームの前記コンフィギュレーション情報は、前記ラジオ・フレームが前記ページング・メッセージを送信するために使用されないことであり、前記処理部は、前記ラジオ・フレームの前記コンフィギュレーション情報を取得した後に、前記ページング・メッセージについて前記ラジオ・フレームを探索することをスキップする、
請求項２２乃至２５のうちいずれか一項に記載の端末デバイス。
【請求項２７】
前記ラジオ・フレーム・コンフィギュレーション・フィールドは、前記ＭＢＳＦＮリソースが前記ラジオ・フレームにおいて構成されることを示し、前記ラジオ・フレームの前記コンフィギュレーション情報は、第３リソース・セット内のリソースが前記ＭＢＳＦＮリソースとして指定されることであり、前記処理部は、前記ラジオ・フレームの前記コンフィギュレーション情報を取得した後に、前記ラジオ・フレームにおいて、前記第３リソース・セット内で前記ＭＢＳＦＮリソースを探して決定するよう更に構成され、あるいは、
前記ラジオ・フレーム・コンフィギュレーション・フィールドは、前記ＭＢＳＦＮリソースが前記ラジオ・フレームにおいて構成されないことを示し、前記ラジオ・フレームの前記コンフィギュレーション情報は、前記ラジオ・フレームが前記ＭＢＳＦＮリソースを有さないことであり、前記処理部は、前記ラジオ・フレームの前記コンフィギュレーション情報を取得した後に、前記ＭＢＳＦＮリソースについて前記ラジオ・フレームを探索することをスキップする、
請求項２２乃至２６のうちいずれか一項に記載の端末デバイス。
【請求項２８】
前記ラジオ・フレーム・コンフィギュレーション・フィールドは、前記ＰＲＡＣＨリソースが前記ラジオ・フレームにおいて構成されることを示し、前記ラジオ・フレームの前記コンフィギュレーション情報は、第４リソース・セット内のリソースが前記ＰＲＡＣＨリソースとして指定されることであり、該ＰＲＡＣＨリソースは、ＰＲＡＣＨメッセージを送信するために当該端末デバイスによって使用され、前記処理部は、前記ラジオ・フレームの前記コンフィギュレーション情報を取得した後に、前記ラジオ・フレームにおいて前記第４リソース・セット内のリソースを使用することで基地局へ前記ＰＲＡＣＨメッセージを送信するよう更に構成され、あるいは、
前記ラジオ・フレーム・コンフィギュレーション・フィールドは、前記ＰＲＡＣＨリソースが前記ラジオ・フレームにおいて構成されないことを示し、前記ラジオ・フレームの前記コンフィギュレーション情報は、前記ラジオ・フレームが前記ＰＲＡＣＨリソースを有さないことであり、前記ラジオ・フレームの前記コンフィギュレーション情報を取得した後に、前記処理部は、前記ラジオ・フレームを使用することでＰＲＡＣＨメッセージを送信することをスキップする、
請求項２２乃至２７のうちいずれか一項に記載の端末デバイス。
【発明の詳細な説明】
【技術分野】
【０００１】
本願は、“INFORMATION  TRANSMISSION  METHOD  AND  APPARATUS”と題された、２０１６年４月８日付けで中国特許庁に出願された中国特許出願第２０１６１０２１６７１７．９号の優先権を主張する。この中国特許出願は、その全文を参照により本願に援用される。
【０００２】
［技術分野］
本発明は、通信テクノロジの分野に、特に、情報伝送方法及び装置に関係がある。
【背景技術】
【０００３】
［背景］
既存のロング・ターム・エボリューション（Long  Term  Evolution，ＬＴＥ）システムにおいて、基地局はシステム情報、すなわち、マスタ情報ブロック（Master  Information  Block，ＭＩＢ）を、ラジオ・フレームにおいて固定ダウンリンク・サブフレーム０の物理ダウンリンク共有チャネル（Physical  Downlink  Shared  Channel，ＰＤＳＣＨ）リソースを使用することによって送信する。
【０００４】
ＭＩＢは、システム帯域幅情報、ＭＩＢを送信するために使用されるラジオ・フレームのフレーム番号、物理ハイブリッド自動再送要求表示チャネル（Physical  HARQ  Indication  Channel，ＰＨＩＣＨ）コンフィギュレーション情報、及びリザベーション情報を含む複数のコンフィギュレーション・パラメータを含む。
【０００５】
ＭＩＢ情報は、複数のコンフィギュレーション・パラメータを含む。そのため、基地局によってＭＩＢを送信するための情報オーバーヘッドは極端に高く、基地局の高電力消費をもたらす。
【発明の概要】
【０００６】
［概要］
本発明は、基地局によってＭＩＢを送信するための極端に高い情報オーバーヘッドの結果として起こる基地局の高電力消費の問題を解消するために、メッセージ伝送方法及び装置を提供する。
【０００７】
本発明で提供される具体的な技術的解決法は、次の通りである。
【０００８】
第１の態様に従って、本発明の実施形態は、情報伝送方法を提供し、方法は：第１帯域幅表示情報及びラジオ・フレーム・コンフィギュレーション・フィールドを含むマスタ情報ブロックＭＩＢを基地局によって生成し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し；前記基地局によって、前記ラジオ・フレームにおいて時間周波数リソースを使用することで前記ＭＩＢを送信することを含む。
【０００９】
前述の方法を使用することによって、基地局は、第１帯域幅表示情報及びラジオ・フレーム・コンフィギュレーション・フィールドを含むＭＩＢを生成し、該ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明の実施形態における基地局によって送信されるＭＩＢは２つのコンフィギュレーション・パラメータ、すなわち、第１帯域幅表示情報及びラジオ・フレーム・コンフィギュレーション・フィールドを含む。そのため、基地局によってＭＩＢを送信するための情報オーバーヘッドは低減され、基地局の電力消費は削減される。利用可能なシステム帯域幅が複数の範囲に分けられた後に、基地局は、第１帯域幅表示情報を含むＭＩＢを送信し、次いで、端末デバイスは、ＭＩＢを取得した後に、システム帯域幅の第１範囲を決定することができる。前述の方法を使用することによって、ＭＩＢ情報オーバーヘッドは、本発明のこの実施形態において最小限にされ得る。
【００１０】
可能な設計において、第１帯域幅表示情報によって示される第１範囲は、少なくとも１つの予め設定された利用可能なシステム帯域幅を含み、その少なくとも１つの利用可能なシステム帯域幅は、現在のシステム帯域幅を含む。
【００１１】
可能な設計において、ＭＩＢは４ビットを含み、第１帯域幅表示情報は１ビット、２ビット、又は３ビットを占有し、ラジオ・フレーム・コンフィギュレーション・フィールドが１ビットを占有する。
【００１２】
前述の方法を使用することによって、２４ビットのコンテンツを含む従来のＭＩＢと比較して、基地局によって送信されるＭＩＢは４ビットのコンテンツを含む。そのため、本発明のこの実施形態における基地局によってＭＩＢを送信するための情報オーバーヘッドは低減され、基地局の電力消費は削減される。
【００１３】
可能な設計において、ラジオ・フレーム・コンフィギュレーション・フィールドは、ＳＩＢ１のリソースがラジオ・フレームにおいて構成されることを示し、方法は、基地局によって、ラジオ・フレームにおいて設定される第１リソース・セット内のリソースを使用することで前記ＳＩＢ１を送信することを更に含み、あるいは、
ラジオ・フレーム・コンフィギュレーション・フィールドは、ＳＩＢ１のリソースがラジオ・フレームにおいて構成されないことを示し、方法は、ラジオ・フレームを使用することで前記ＳＩＢ１を基地局によって送信することをスキップすることを更に含む。
【００１４】
前述の方法を使用することによって、基地局は、ＳＩＢ１のリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ＳＩＢ１についてラジオ・フレームを探索すべきかどうかを決定する。このようにして、ラジオ・フレームがＳＩＢ１のリソースにより構成されない場合に端末デバイスがＳＩＢ１についてラジオ・フレームを探索するという問題は回避され、端末デバイスの電力消費は削減される。その上、このようにして、ＳＩＢ１は、固定ダウンリンク・サブフレームにおいて時間周波数リソースを占有せず、それにより、ＳＩＢ１を送信する場合に、基地局は、サービス・タイプ及びアプリケーション環境に基づき、前述の情報によって占有されるリソースを動的に調整してよく、それによってシステム柔軟性を改善する。
【００１５】
可能な設計において、ＳＩＢ１は、ラジオ・フレームのフレーム番号情報及び第２帯域幅表示情報を含み、該第２帯域幅表示情報は、第１範囲内にあるシステム帯域幅を示すために使用される。
【００１６】
ＭＩＢは、該ＭＩＢを送信するためのラジオ・フレームのフレーム番号情報を含まないので、端末デバイスは、見つけられたＭＩＢに基づきラジオ・フレームのフレーム番号を取得することができない。基地局によって送信されたＳＩＢ１は、ラジオ・フレームのフレーム番号情報を含み、それにより、端末デバイスは、セル同期化動作を実行するためにラジオ・フレームのフレーム番号を取得することができ、それによって、ラジオ・フレームのフレーム番号情報がＭＩＢの情報オーバーヘッドの低下により端末デバイスへ送信され得ないという問題を回避する。その上、ＳＩＢ１に含まれる第２帯域幅表示情報は、第１範囲内にある特定のシステム帯域幅を示す。このようにして、ＳＩＢ１を受信した後に、端末デバイスは、第２帯域幅表示情報に基づきシステム帯域幅を正確に決定することができ、それにより、端末デバイスは、当該決定されたシステム帯域幅でその後にデータを基地局と交換することができる。
【００１７】
可能な設計において、ラジオ・フレーム・コンフィギュレーション・フィールドは、ページング・メッセージのリソースがラジオ・フレームにおいて構成されることを示し、方法は、基地局によって、ラジオ・フレームにおいて設定される第２リソース・セット内のリソースを使用することで前記ページング・メッセージを送信することを更に含み、あるいは、
ラジオ・フレーム・コンフィギュレーション・フィールドは、ページング・メッセージのリソースがラジオ・フレームにおいて構成されないことを示し、方法は、ラジオ・フレームを使用することで前記ページング・メッセージを基地局によって送信することをスキップすることを更に含む。
【００１８】
前述の方法を使用することによって、基地局は、ページング・メッセージのリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ページング・メッセージについてラジオ・フレームを探索すべきかどうかを決定する。このようにして、ラジオ・フレームがページング・メッセージのリソースにより構成されない場合に端末デバイスがページング・メッセージについてラジオ・フレームを探索するという問題は回避され、端末デバイスの電力消費は削減される。このようにして、ページング・メッセージは、固定ダウンリンク・サブフレームにおいて時間周波数リソースを占有せず、それにより、ページング・メッセージを送信する場合に、基地局は、サービス・タイプ及びアプリケーション環境に基づき、前述の情報によって占有されるリソースを動的に調整してよく、それによってシステム柔軟性を改善する。
【００１９】
可能な設計において、ラジオ・フレーム・コンフィギュレーション・フィールドは、ＭＢＳＦＮリソースがラジオ・フレームにおいて構成されることを示し、方法は、基地局によって、ラジオ・フレームにおいて設定される第３リソース・セット内のリソースを前記ＭＢＳＦＮリソースとして指定することを更に含み、あるいは、
ラジオ・フレーム・コンフィギュレーション・フィールドは、ＭＢＳＦＮリソースがラジオ・フレームにおいて構成されないことを示し、方法は、前記ＭＢＳＦＮリソースとしてラジオ・フレームにおいてリソースを基地局によって指定することをスキップすることを更に含む。
【００２０】
前述の方法を使用することによって、基地局は、ＭＢＳＦＮリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ＭＢＳＦＮリソースについてラジオ・フレームを探索すべきかどうかを決定する。このようにして、ラジオ・フレームがＭＢＳＦＮリソースにより構成されない場合に端末デバイスがＭＢＳＦＮリソースについてラジオ・フレームを探索するという問題は回避され、端末デバイスの電力消費は削減される。その上、このようにして、ＭＢＳＦＮリソースは、固定ダウンリンク・サブフレームにおいて時間周波数リソースを占有せず、そして、ＭＢＳＦＮリソースを送信する場合に、基地局は、サービス・タイプ及びアプリケーション環境に基づき、前述の情報によって占有されるリソースを動的に調整してよく、それによってシステム柔軟性を改善する。
【００２１】
可能な設計において、ラジオ・フレーム・コンフィギュレーション・フィールドは、ＰＲＡＣＨリソースがラジオ・フレームにおいて構成されることを示し、方法は、基地局によって、ラジオ・フレームにおいて設定される第４リソース・セット内のリソースをＰＲＡＣＨリソースとして指定することを更に含み、あるいは、
ラジオ・フレーム・コンフィギュレーション・フィールドは、ＰＲＡＣＨリソースがラジオ・フレームにおいて構成されないことを示し、方法は、ＰＲＡＣＨリソースとしてラジオ・フレームにおいてリソースを基地局によって指定することをスキップすることを更に含む。
【００２２】
前述の方法を使用することによって、基地局は、ＰＲＡＣＨリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ラジオ・フレームを使用することによってＰＲＡＣＨメッセージを送信すべきかどうかを決定する。このようにして、ラジオ・フレームがＰＲＡＣＨリソースにより構成されない場合に端末デバイスがＰＲＡＣＨリソースについてラジオ・フレームを探索するという問題は回避され、端末デバイスの電力消費は削減される。その上、このようにして、ＰＲＡＣＨリソースは、固定ダウンリンク・サブフレームにおいて時間周波数リソースを占有せず、そして、ＰＲＡＣＨリソースを送信する場合に、基地局は、サービス・タイプ及びアプリケーション環境に基づき、前述の情報によって占有されるリソースを動的に調整してよく、それによってシステム柔軟性を改善する。
【００２３】
他の態様に従って、本発明の実施形態は、
端末デバイスによって、予め設定された帯域幅範囲内でマスタ情報ブロックＭＩＢを探し、該ＭＩＢは、第１帯域幅表示情報及びラジオ・フレーム・コンフィギュレーション・フィールドを含み、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し、
前記ラジオ・フレームにおいて前記ＭＩＢを見つける場合に、前記端末デバイスによって、前記ＭＩＢに含まれる前記第１帯域幅表示情報に基づき、前記システム帯域幅の前記第１範囲を決定し、前記ＭＩＢに含まれる前記ラジオ・フレーム・コンフィギュレーション・フィールドに基づき、前記ラジオ・フレームのコンフィギュレーション情報を取得する
ことを含む情報伝達方法を提供する。
【００２４】
前述の方法を使用することによって、端末デバイスは、ラジオ・フレームを使用することで基地局によって送信される、第１帯域幅表示情報及びラジオ・フレーム・コンフィギュレーション・フィールドを含むＭＩＢを受信し、第１帯域幅表示情報に基づきシステム帯域幅の第１範囲を決定し、ラジオ・フレーム・コンフィギュレーション・フィールドに基づきラジオ・フレームのコンフィギュレーション情報を取得する。本発明のこの実施形態における基地局によって送信されるＭＩＢは２つのコンフィギュレーション・パラメータ、すなわち、第１帯域幅表示情報及びラジオ・フレーム・コンフィギュレーション・フィールドを含むので、基地局によってＭＩＢを送信するための情報オーバーヘッドは低減され、基地局の電力消費は削減される。利用可能なシステム帯域幅が複数の範囲に分けられた後に、基地局は、第１帯域幅表示情報を含むＭＩＢを送信し、次いで、端末デバイスは、ＭＩＢを取得した後に、システム帯域幅の第１範囲を決定することができる。前述の方法を使用することによって、ＭＩＢ情報オーバーヘッドは、本発明のこの実施形態において最小限にされ得る。
【００２５】
可能な設計において、第１帯域幅表示情報によって示される第１範囲は、少なくとも１つの予め設定された利用可能なシステム帯域幅を含み、その少なくとも１つの利用可能なシステム帯域幅は、現在のシステム帯域幅を含む。
【００２６】
可能な設計において、ＭＩＢは４ビットを含み、第１帯域幅表示情報は１ビット、２ビット、又は３ビットを占有し、前記ラジオ・フレーム・コンフィギュレーション・フィールドが１ビットを占有する。
【００２７】
２４ビットのコンテンツを含む従来のＭＩＢと比較して、本発明のこの実施形態において基地局によって送信されるＭＩＢは、４ビットのコンテンツを含む。そのため、本発明のこの実施形態において基地局によってＭＩＢを送信するための情報オーバーヘッドは低減され、基地局の電力消費は削減される。
【００２８】
可能な設計において、ラジオ・フレーム・コンフィギュレーション・フィールドが、ＳＩＢ１のリソースがラジオ・フレームにおいて構成されることを示す場合に、ラジオ・フレームのコンフィギュレーション情報は、第１リソース・セット内のリソースがＳＩＢ１を送信するために使用されることであり、端末デバイスがラジオ・フレームのコンフィギュレーション情報を取得した後に、方法は、端末デバイスによってＳＩＢ１についてラジオ・フレームにおいて第１リソース・セット内の全てのリソースを探索し、第１リソース・セット内のリソース上でＳＩＢ１を取得することを更に含み、あるいは、
ラジオ・フレーム・コンフィギュレーション・フィールドは、ＳＩＢ１のリソースがラジオ・フレームにおいて構成されないことを示し、ラジオ・フレームのコンフィギュレーション情報は、ラジオ・フレームがＳＩＢ１を送信するために使用されないことであり、端末デバイスがラジオ・フレームのコンフィギュレーション情報を取得した後に、方法は、ＳＩＢ１についてラジオ・フレームを端末デバイスによって探索することをスキップすることを更に含む。
【００２９】
前述の方法を使用することによって、基地局は、ＳＩＢ１のリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ＳＩＢ１についてラジオ・フレームを探索すべきかどうかを決定する。このようにして、ラジオ・フレームがＳＩＢ１のリソースにより構成されない場合に端末デバイスがＳＩＢ１についてラジオ・フレームを探索するという問題は回避され、端末デバイスの電力消費は削減される。その上、このようにして、ＳＩＢ１は、固定ダウンリンク・サブフレームにおいて時間周波数リソースを占有せず、それにより、ＳＩＢ１を送信する場合に、基地局は、サービス・タイプ及びアプリケーション環境に基づき、前述の情報によって占有されるリソースを動的に調整してよく、それによってシステム柔軟性を改善する。
【００３０】
可能な設計において、ＳＩＢ１は、ラジオ・フレームのフレーム番号情報及び第２帯域幅表示情報を含み、第２帯域幅表示情報は、第１範囲内にあるシステム帯域幅を示すために使用される。
【００３１】
端末デバイスがＳＩＢ１を取得した後に、方法は、
端末デバイスによって、第２帯域幅表示情報に基づき第１範囲内にあるシステム帯域幅を決定し、
端末デバイスによって、ラジオ・フレームのフレーム番号情報に基づきラジオ・フレームのフレーム番号を決定する
ことを更に含む。
【００３２】
ＭＩＢは、該ＭＩＢを送信するためのラジオ・フレームのフレーム番号情報を含まないので、端末デバイスは、見つけられたＭＩＢに基づきラジオ・フレームのフレーム番号を取得することができない。基地局によって送信されたＳＩＢ１は、ラジオ・フレームのフレーム番号情報を含み、それにより、端末デバイスは、セル同期化動作を実行するためにラジオ・フレームのフレーム番号を取得することができ、それによって、ラジオ・フレームのフレーム番号情報がＭＩＢの情報オーバーヘッドの低下により端末デバイスへ送信され得ないという問題を回避する。その上、ＳＩＢ１に含まれる第２帯域幅表示情報は、第１範囲内にある特定のシステム帯域幅を示す。このようにして、ＳＩＢ１を受信した後に、端末デバイスは、第２帯域幅表示情報に基づきシステム帯域幅を正確に決定することができ、それにより、端末デバイスは、当該決定されたシステム帯域幅でその後にデータを基地局と交換することができる。
【００３３】
可能な設計において、ラジオ・フレーム・コンフィギュレーション・フィールドは、ページング・メッセージのリソースがラジオ・フレームにおいて構成されることを示し、ラジオ・フレームのコンフィギュレーション情報は、第２リソース・セット内のリソースがページング・メッセージを送信するために使用されることであり、端末デバイスがラジオ・フレームのコンフィギュレーション情報を取得した後に、方法は、端末デバイスによってページング・メッセージについてラジオ・フレームにおいて第２リソース・セット内の全てのリソースを探索し、第２リソース・セット内のリソース上でページング・メッセージを取得することを更に含み、あるいは、
ラジオ・フレーム・コンフィギュレーション・フィールドは、ページング・メッセージのリソースがラジオ・フレームにおいて構成されないことを示し、ラジオ・フレームのコンフィギュレーション情報は、ラジオ・フレームがページング・メッセージを送信するために使用されないことであり、端末デバイスがラジオ・フレームのコンフィギュレーション情報を取得した後に、方法は、ページング・メッセージについてラジオ・フレームを端末デバイスによって探索することをスキップすることを更に含む。
【００３４】
前述の方法を使用することによって、基地局は、ページング・メッセージのリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ページング・メッセージについてラジオ・フレームを探索すべきかどうかを決定する。このようにして、ラジオ・フレームがページング・メッセージのリソースにより構成されない場合に端末デバイスがページング・メッセージについてラジオ・フレームを探索するという問題は回避され、端末デバイスの電力消費は削減される。このようにして、ページング・メッセージは、固定ダウンリンク・サブフレームにおいて時間周波数リソースを占有せず、それにより、ページング・メッセージを送信する場合に、基地局は、サービス・タイプ及びアプリケーション環境に基づき、前述の情報によって占有されるリソースを動的に調整してよく、それによってシステム柔軟性を改善する。
【００３５】
可能な設計において、ラジオ・フレーム・コンフィギュレーション・フィールドは、ＭＢＳＦＮリソースがラジオ・フレームにおいて構成されることを示し、ラジオ・フレームのコンフィギュレーション情報は、第３リソース・セット内のリソースがＭＢＳＦＮリソースとして指定されることであり、端末デバイスがラジオ・フレームのコンフィギュレーション情報を取得した後に、方法は、端末デバイスによって、ラジオ・フレームにおいて、第３リソース・セット内でＭＢＳＦＮリソースを探して決定することを更に含み、あるいは、
ラジオ・フレーム・コンフィギュレーション・フィールドは、ＭＢＳＦＮリソースがラジオ・フレームにおいて構成されないことを示し、ラジオ・フレームのコンフィギュレーション情報は、ラジオ・フレームが前記ＭＢＳＦＮリソースを含まないことであり、端末デバイスがラジオ・フレームのコンフィギュレーション情報を取得した後に、方法は、ＭＢＳＦＮリソースについてラジオ・フレームを端末デバイスによって探索することをスキップすることを更に含む。
【００３６】
前述の方法を使用することによって、基地局は、ＭＢＳＦＮリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ＭＢＳＦＮリソースについてラジオ・フレームを探索すべきかどうかを決定する。このようにして、ラジオ・フレームがＭＢＳＦＮリソースにより構成されない場合に端末デバイスがＭＢＳＦＮリソースについてラジオ・フレームを探索するという問題は回避され、端末デバイスの電力消費は削減される。その上、このようにして、ＭＢＳＦＮリソースは、固定ダウンリンク・サブフレームにおいて時間周波数リソースを占有せず、そして、ＭＢＳＦＮリソースを送信する場合に、基地局は、サービス・タイプ及びアプリケーション環境に基づき、前述の情報によって占有されるリソースを動的に調整してよく、それによってシステム柔軟性を改善する。
【００３７】
可能な設計において、ラジオ・フレーム・コンフィギュレーション・フィールドは、ＰＲＡＣＨリソースがラジオ・フレームにおいて構成されることを示し、ラジオ・フレームのコンフィギュレーション情報は、第４リソース・セット内のリソースがＰＲＡＣＨリソースとして指定されることであり、該ＰＲＡＣＨリソースは、ＰＲＡＣＨメッセージを送信するために端末デバイスによって使用され、端末デバイスがラジオ・フレームのコンフィギュレーション情報を取得した後に、方法は、端末デバイスによって、ラジオ・フレームにおいて第４リソース・セット内のリソースを使用することで基地局へＰＲＡＣＨメッセージを送信することを更に含み、あるいは、
ラジオ・フレーム・コンフィギュレーション・フィールドは、ＰＲＡＣＨリソースがラジオ・フレームにおいて構成されないことを示し、ラジオ・フレームのコンフィギュレーション情報は、ラジオ・フレームがＰＲＡＣＨリソースを含まないことであり、端末デバイスがラジオ・フレームのコンフィギュレーション情報を取得した後に、方法は、ラジオ・フレームを使用することでＰＲＡＣＨメッセージを端末デバイスによって送信することをスキップすることを更に含む。
【００３８】
前述の方法を使用することによって、基地局は、ＰＲＡＣＨリソースがＭＩＢを送信するためのラジオ・フレームにおいて構成されるかどうかを、ラジオ・フレーム・コンフィギュレーション・フィールドを使用することによって示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接決定することができ、そして、ラジオ・フレームのコンフィギュレーション情報に基づき、ラジオ・フレームを使用することによってＰＲＡＣＨメッセージを送信すべきかどうかを決定する。このようにして、ラジオ・フレームがＰＲＡＣＨリソースにより構成されない場合に端末デバイスがＰＲＡＣＨリソースについてラジオ・フレームを探索するという問題は回避され、端末デバイスの電力消費は削減される。その上、このようにして、ＰＲＡＣＨリソースは、固定ダウンリンク・サブフレームにおいて時間周波数リソースを占有せず、そして、ＰＲＡＣＨリソースを送信する場合に、基地局は、サービス・タイプ及びアプリケーション環境に基づき、前述の情報によって占有されるリソースを動的に調整してよく、それによってシステム柔軟性を改善する。
【００３９】
更なる他の態様に従って、本発明の実施形態は基地局を提供し、該基地局は、前述の方法の実施形態における基地局の挙動を実装する機能を具備する。該機能は、ハードウェアを使用することによって実装されてよく、あるいは、対応するソフトウェアをハードウェアによって実行することによって実装されてよい。ハードウェア又はソフトウェアは、前記機能に対応する１つ以上のモジュールを含む。
【００４０】
可能な設計において、基地局の構造は、処理部及び送信部を含み、それらのユニットは、前述の方法の設計における対応する機能を実行してよい。詳細については、方法の設計における詳細な説明を参照されたい。詳細はここでは再度記載されない。
【００４１】
可能な設計において、基地局の構造は、トランシーバ、プロセッサ、バス、及びメモリを含み、前記トランシーバは、端末デバイスとの通信インタラクションを実行するよう構成され、前記プロセッサは、基地局が前述の方法における対応する機能を実行するのを支援するよう構成される。前記メモリは前記プロセッサへ結合され、前記メモリは、基地局にとって必要であるプログラム命令及びデータを記憶する。
【００４２】
更なる他の態様に従って、本発明の実施形態は端末デバイスを提供する。端末デバイスは、前述の方法の設計における端末デバイスの挙動を実装する機能を具備する。該機能は、ハードウェアを使用することによって実装されてよく、あるいは、対応するソフトウェアをハードウェアによって実行することによって実装されてよい。ハードウェア又はソフトウェアは、前記機能に対応する１つ以上のモジュールを含む。
【００４３】
可能な設計において、端末デバイスの構造は、受信部及び処理部を含み、前記受信部は、予め設定された帯域幅範囲内でデータを受信するよう構成され、前記処理部は、データを処理するよう構成され、前記処理部は、前述の方法の設計における対応する機能を実行するよう構成されてよい。詳細については、方法の設計における詳細な説明を参照されたい。詳細はここでは再度記載されない。
【００４４】
可能な設計において、端末デバイスの構造は、トランシーバ、プロセッサ、バス、及びメモリを含み、前記トランシーバは、基地局との通信インタラクションを実行するよう構成され、前記プロセッサは、端末デバイスが前述の方法における対応する機能を実行するのを支援するよう構成される。前記メモリは前記プロセッサへ結合され、前記メモリは、端末デバイスにとって必要であるプログラム命令及びデータを記憶する。
【００４５】
更なる他の態様に従って、本発明の実施形態は、情報伝送システムを提供し、該システムは基地局及び端末デバイスを含む。
【００４６】
本発明において提供される情報伝送方法を使用することによって、基地局は、第１帯域幅表示情報及びラジオ・フレーム・コンフィギュレーション・フィールドを含むＭＩＢを生成し、該ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明のこの実施形態において基地局によって送信されるＭＩＢは、２つのコンフィギュレーション・パラメータ、すなわち、第１帯域幅表示情報及びラジオ・フレーム・コンフィギュレーション・フィールドを含む。そのため、基地局によってＭＩＢを送信するための情報オーバーヘッドは低減され、基地局の電力消費は削減される。
【図面の簡単な説明】
【００４７】
【図１】本発明の実施形態に従う情報伝送システムのネットワーク・アーキテクチャの図である。
【図２】本発明の実施形態に従う情報伝送方法のフローチャートである。
【図３】本発明の実施形態に従う情報伝送方法のフローチャートである。
【図４】本発明の実施形態に従う基地局の略構造図である。
【図５】本発明の実施形態に従う端末デバイスの略構造図である。
【図６】本発明の実施形態に従う基地局の略構造図である。
【図７】本発明の実施形態に従う端末デバイスの略構造図である。
【発明を実施するための形態】
【００４８】
本発明の目的、技術的解決法、及び利点をより明らかにするよう、以下は、添付の図面を参照して本発明について更に記載する。明らかに、記載される実施形態は、本発明の実施形態の全てと言うよりむしろ一部にすぎない。創造的な努力なしで本発明の実施形態に基づき当業者によって獲得される全ての他の実施形態は、本発明の保護範囲内にあるべきである。
【００４９】
本発明の実施形態は、基地局によってＭＩＢを送信するための極端に高い情報オーバーヘッドの結果として起こる基地局の高電力消費についての先行技術の問題を解消するために、メッセージ伝送方法及び装置を提供する。本発明における方法及び装置は、同じ発明概念に基づく。方法及び装置の問題解決原理は同様であるから、相互参照が方法及び装置の実施に対して行われてよく、繰り返しとなる記載は提供されない。
【００５０】
本発明の実施形態において、基地局は、第１帯域幅表示情報及びラジオ・フレーム・コンフィギュレーション・フィールドを含むＭＩＢを生成し、該ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明の実施形態における基地局によって送信されるＭＩＢは、２つのコンフィギュレーション・パラメータ、すなわち、第１帯域幅表示情報及びラジオ・フレーム・コンフィギュレーション・フィールドを含む。そのため、基地局によってＭＩＢを送信するための情報オーバーヘッドは低減され、基地局の電力消費は削減される。
【００５１】
以下で、本願における幾つかの語は、当業者がより良い理解を有するのを助けるために、記載される。
【００５２】
（１）本発明の実施形態における基地局は、端末デバイス及び無線ネットワークを接続するデバイスであり、制限なしに、エボルブド・ノードＢ（evolved  NodeB，ｅＮＢ）、ラジオ・ネットワーク・コントローラ（radio  network  controller，ＲＮＣ）、ノードＢ（NodeB，ＮＢ）、基地局コントローラ（Base  Station  controller，ＢＳＣ）、ベース・トランシーバ局（Base  Transceiver  Station，ＢＴＳ）、ホーム・ｅノードＢ（例えば、Home  evolved  NodeB又はHome  NodeB，ＨＮＢ）、ベースバンド・ユニット（Baseband  Unit，ＢＢＵ）、アクセス・ポイント（Access  Point，ＡＰ）、又は同様のものを含む。
【００５３】
（２）本発明における端末デバイスは、ユーザ装置（User  Equipment，ＵＥ）とも呼ばれ、ボイス及び／又はデータ・コネクティビティをユーザに提供するデバイス、例えば、無線接続機能を具備する携帯型デバイス、車載デバイス、装着型デバイス、コンピューティング・デバイス、又は移動局（Mobile  Station，ＭＳ）、無線モデムへ接続された他の処理デバイス、あるいは、ラジオ・アクセス・ネットワークを使用することによって１つ以上のコア・ネットワークと通信するモバイル端末である。
【００５４】
（３）“及び／又は”は、関連するオブジェクトの連合関係を記載し、３つの関係が存在することを示す。例えば、Ａ及び／又はＢは、次の３つの場合を表し得る。すなわち、Ａのみが存在する場合、Ａ及びＢの両方が存在する場合、及びＢのみが存在する場合である。文字“／”は、一般に、関連するオブジェクト間の“論理和”関係を示す。
【００５５】
本発明の実施形態において提供される情報伝送方法は、図１に示される情報伝送システムのネットワーク・アーキテクチャに適用可能である。ネットワーク・アーキテクチャは、基地局１０１及び少なくとも１つの端末デバイス１０２を含む。
【００５６】
基地局１０１は、現在のシステム・コンフィギュレーションに基づきＭＩＢを生成し、ＭＩＢを、ラジオ・フレームを使用することによって周期的にブロードキャストし、そして、システム情報ブロック（System  Information  Block，ＳＩＢ）１、ページング（Paging）・メッセージ、マルチメディア・ブロードキャスト・マルチキャスト・サービス単一周波数ネットワーク（Multimedia  Broadcast  multicast  service  Single  Frequency  Network，ＭＢＳＦＮ）リソース、物理ランダム・アクセス・チャネル（Physical  Random  Access  Channel，ＰＲＡＣＨ）リソース、及び同様のもののうちのいずれか１つ又は組み合わせを、ラジオ・フレームを使用することによってブロードキャストする。ＭＩＢは、ＭＩＢを送信するためのラジオ・フレームのコンフィギュレーション情報を端末デバイスに知らせるために使用される。
【００５７】
各端末デバイス１０２は、予め設定された帯域幅範囲内でＭＩＢを探し、ラジオ・フレームにおいてＭＩＢを見つける場合にＭＩＢに基づきラジオ・フレームのコンフィギュレーション情報を取得し、ラジオ・フレームのコンフィギュレーション情報に基づきＳＩＢ１、ページング・メッセージ、ＭＢＳＦＮリソース、ＰＲＡＣＨリソース、及び同様のものを探す。
【００５８】
各端末デバイス１０２は、前述の方法で、基地局によるシステム・メッセージ・ブロードキャストを取得し、それにより、各端末デバイス１０２は、ネットワークにアクセスするために必要とされる現在のシステム・コンフィギュレーションを取得可能であることが確かにされ得る。これは、アイドル・モードにおける各端末デバイス１０２のモビリティ管理を確かにする。
【００５９】
従来の時分割デュプレクス・ロング・ターム・エボリューション（Time  Division  Duplex  Long  Term  Evolution，ＴＤＤ−ＬＴＥ）システムでは、１つのラジオ・フレームの時間長さは１０秒であり、１つのラジオ・フレームは１０個のサブフレームに分割されてよく、それらの夫々は１秒の長さを有する。２つのタイプのサブフレーム、すなわち、アップリンク・サブフレーム及びダウンリンク・サブフレーム、が存在する。アップリンク・サブフレームに含まれる全てのシンボルは、アップリンク伝送のために使用され、ダウンリンク・サブフレームに含まれる全てのシンボルは、ダウンリンク伝送のために使用される。アップリンク伝送データ及びダウンリンク伝送データは、同じラジオ・フレーム内の異なるサブフレームにおいて送信される。ＴＤＤ−ＬＴＥは、異なるアップリンク−ダウンリンク時間コンフィギュレーションをサポートする。アップリンク−ダウンリンク・サブフレーム・コンフィギュレーションは、アップリンク−ダウンリンク非対称性サービスの要件を満足するよう、異なるサービス・タイプに基づき調整されてよい。同じラジオ・フレーム内の異なるアップリンク−ダウンリンク・サブフレーム・コンフィギュレーションは、表１に示される。
【表１】
2019514284.tif 000003
【００６０】
表１において、Ｄは、ダウンリンク・サブフレームを表し、Ｕは、アップリンク・サブフレームを表し、Ｓは、特別なサブフレームを表す。
【００６１】
ＴＤＤ−ＬＴＥシステムにおいて、ＭＩＢ及びＳＩＢ１、ページング・メッセージ、又は他の情報のようなシステム情報は、送信のために固定ダウンリンク・サブフレームにおいて時間周波数リソースを占有する。ＭＩＢは、送信するためにサブフレーム０の物理ダウンリンク共有チャネル（Physical  Downlink  Shared  Channel，ＰＤＳＣＨ）リソースを占有し、ＳＩＢ１は、送信するためにサブフレーム５のＰＤＳＣＨリソースを占有し、ページング・メッセージは、送信するためにサブフレーム０、１、５、及び６のＰＤＳＣＨリソースを占有し得る。ＰＲＡＣＨリソースによって占有されるサブフレームは、アップリンク・サブフレームである必要がある。明らかに、表１に示される従来のラジオ・フレームのアップリンク−ダウンリンク・サブフレーム・コンフィギュレーションでは、システム・メッセージ、ページング・メッセージ、及びＰＲＡＣＨリソースは、前述の静的な方法で送信され、このことは、前述のメッセージによって占有されるサブフレームのタイプを制限する。結果として、システムは、連続的に現れるサービス・タイプ及び変化するアプリケーション環境に動的に適応することができず、システム柔軟性は低下する。
【００６２】
従来のＴＤＤ−ＬＴＥシステムにおいて、サブフレーム０の４つのシンボルのＰＤＳＣＨリソースは、ＭＩＢを送信するために占有される。ＭＩＢは、システム帯域幅を示すために使用される３ビットと、ＭＩＢを送信するための現在のラジオ・フレームのフレーム番号を示すために使用される８ビットと、ＰＨＩＣＨコンフィギュレーション情報を示すために使用される３ビットと、リザベーション情報の１０ビットとを含む２４ビット（bits）のコンテンツを含む。基地局によってＭＩＢを送信するための情報オーバーヘッドは、極端に高く、結果として基地局の高電力消費をもたらす。
【００６３】
本発明の実施形態は、情報伝送方法を提供する。方法は、ＬＴＥシステム又はＬＴＥアドバンスド（LTE-Advanced，ＬＴＥ−Ａ）に適用されてよいが、それらに制限されない。方法は、図１に示されるネットワーク・アーキテクチャに適用される。本発明のこの実施形態における基地局は、ネットワーク・アーキテクチャにおける基地局１０１であってよい。図２を参照すると、方法の処理プロシージャは次のステップを含む。
【００６４】
ステップ２０１：基地局はＭＩＢを生成し、ＭＩＢは第１帯域幅表示情報及びラジオ・フレーム・コンフィギュレーション・フィールドを含み、第１帯域幅表示情報は、システム帯域幅の第１範囲を示すために使用され、ラジオ・フレーム・コンフィギュレーション・フィールドは、ＭＩＢを送信するラジオ・フレームがＳＩＢ１のリソース、ＰＲＡＣＨリソース、ページング・メッセージのリソース、及びＭＢＳＦＮリソースの少なくとも１つ又は組み合わせにより構成されるかどうかを示す。
【００６５】
任意に、基地局は、現在のシステム・コンフィギュレーションに基づきＭＩＢを生成し、例えば、現在のシステム帯域幅に基づき第１帯域幅表示情報を生成し、現在のシステム・リソース・コンフィギュレーション情報に基づきラジオ・フレームのコンフィギュレーション情報を生成し、ラジオ・フレームのコンフィギュレーション情報に基づきラジオ・フレーム・コンフィギュレーション・フィールドを生成する。
【００６６】
任意に、ＭＩＢは４ビットを含み、第１帯域幅表示情報は１ビット、２ビット、又は３ビットを占有し、ラジオ・フレーム・コンフィギュレーション・フィールドは１ビットを占有する。
【００６７】
第１帯域幅表示情報は１ビット乃至３ビットを占有する。そのため、第１帯域幅表示情報が１ビットを占有する場合に、ＭＩＢは２ビットのリザベーション情報を更に含み、第１帯域幅表示情報が２ビットを占有する場合に、ＭＩＢは１ビットのリザベーション情報を更に含み、第１帯域幅表示情報が３ビットを占有する場合に、ＭＩＢはリザベーション情報を含まない。
【００６８】
従来のＭＩＢでは、３ビットが常にシステム帯域幅を示すために使用され、そのため、システム帯域幅を示すために使用される情報オーバーヘッドは比較的に大きい。その上、当業者は、システム・データ伝送レート及びシステム容量を改善するよう、最も広く使用されている方法はより多くのタイプのシステム帯域幅を適用することであると理解する。目下、３ビットのコンテンツは、最大で８つのタイプのシステム帯域幅を示す８つのタイプのコードを形成する。システム帯域幅のタイプが過剰である（例えば、システム帯域幅のタイプが１０個のタイプにまで拡大される）場合に、３ビットのコンテンツは、正確なシステム帯域幅を直接示すことができない。
【００６９】
前述の問題を回避し、情報オーバーヘッドを低減し、ＭＩＢを使用することで端末デバイスによって取得されるシステム帯域幅の正確さを改善するよう、本発明のこの実施形態では、利用可能なシステム帯域幅は複数の範囲に分割される。例えば、利用可能なシステム帯域幅が１Ｍ（Ｍ）から１０Ｍである場合に、利用可能なシステム帯域幅は２つの範囲、すなわち、１Ｍから５Ｍ及び５Ｍから１０Ｍ、に分割されてよい。システム帯域幅が５Ｍから１０Ｍの範囲に及ぶと基地局が決定する場合に、基地局は、最初に、５Ｍから１０Ｍを示す第１帯域幅表示情報を生成する。明らかに、第１帯域幅表示情報によって示される第１範囲は、少なくとも１つの予め設定された利用可能なシステム帯域幅を含み、少なくとも１つの利用可能なシステム帯域幅は、現在のシステム帯域幅を含む。
【００７０】
第１帯域幅表示情報によって占有されるビットの数は、利用可能なシステム帯域幅が分割された後に取得される範囲の数に基づき決定される。利用可能なシステム帯域幅が２つの範囲に分割される場合に、第１帯域幅表示情報は１ビットを占有してよい。例えば、１ビットが０であるとき、それは一方の範囲を表し、１ビットが１であるとき、それは他方の範囲を表す。利用可能なシステム帯域幅が３つ又は４つの範囲に分割される場合に、第１帯域幅表示情報は２ビットを占有し、利用可能なシステム帯域幅が５乃至８つの範囲に分割される場合に、第１帯域幅表示情報は３ビットを占有する。
【００７１】
前述の記載から、第１帯域幅表示情報は最大で３ビットを占有し、そのため、利用可能なシステム帯域幅は最大で８つの範囲に分割されることが学習され得る。
【００７２】
本発明のこの実施形態において、システムが利用可能なシステム帯域幅を複数の範囲に分割した後、基地局及び端末デバイスは両方とも、第１帯域幅表示情報の全ての値と、各値に対応するシステム帯域幅の範囲とを保持する。このようにして、基地局は、第１帯域幅表示情報を含むＭＩＢを送信し、次いで、端末デバイスは、ＭＩＢを取得した後にシステム帯域幅の第１範囲を決定することができる。前述の方法を使用することによって、ＭＩＢ情報オーバーヘッドは、本発明のこの実施形態では最小限にされ得る。
【００７３】
本発明のこの実施形態において、ラジオ・フレーム・コンフィギュレーション・フィールドは、ＭＩＢを送信するラジオ・フレームが、ＳＩＢ１のリソース、ＰＲＡＣＨリソース、ページング・メッセージのリソース、及びＭＢＳＦＮリソースのうちの少なくとも１つ又は組み合わせにより構成されるかどうかを示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接に決定し、そして、ラジオ・フレームのコンフィギュレーション情報に基づき、次の動作、すなわち、ＳＩＢ１についてラジオ・フレームを探索すること、ページング・メッセージについてラジオ・フレームを探索すること、ＭＢＳＦＮリソースについてラジオ・フレームを探索すること、及びラジオ・フレームを使用してＰＲＡＣＨメッセージを送信すること、を実行すべきかどうかを決定することができる。これは、基地局によってＭＩＢを送信するための情報オーバーヘッドを更に低減する。その上、端末デバイスは、ラジオ・フレームのうちにあって、ラジオ・フレーム・コンフィギュレーション・フィールド又は他の情報（ここで制限されない。）に基づき取得されるコンフィギュレーション情報に基づき、前述の４つの動作のうちの対応する動作を実行すべきかどうかを決定してよい。そのため、コンテンツの前述の４つの片のうちの一部がラジオ・フレームにおいて構成されない場合に、構成されないコンテンツに対応する動作を端末デバイスが実行することは回避され、それによって端末デバイスの電力消費を削減する。
【００７４】
任意に、ラジオ・フレーム・コンフィギュレーション・フィールドによって占有される１ビットの値が第１の値に設定される場合に、ラジオ・フレーム・コンフィギュレーション・フィールドは、ＭＩＢを送信するラジオ・フレームが前述の４つの項目のうちの少なくとも１つ又は組み合わせにより構成されることを示し、ラジオ・フレーム・コンフィギュレーション・フィールドによって占有される１ビットの値が第２の値に設定される場合に、ラジオ・フレーム・コンフィギュレーション・フィールドは、４つの項目のうちのいずれによっても構成されないことを示す。第１の値及び第２の値は異なる値であり、任意に、第１の値及び第２の値は両方とも０又は１であってよく、これは本発明において制限されない。
【００７５】
結論として、２４ビットのコンテンツを含む従来のＭＩＢと比較して、本発明のこの実施形態における基地局によって送信されるＭＩＢは４ビットのコンテンツを含む。そのため、本発明のこの実施形態における基地局によってＭＩＢを送信するための情報オーバーヘッドは低減され、基地局の電力消費は削減される。
【００７６】
ステップ２０２：基地局は、ラジオ・フレームにおいて時間周波数リソースを使用することによって、ＭＩＢを送信する。
【００７７】
時間周波数リソースは、ラジオ・フレーム内の特定のシンボルであってよく、特定のシンボルは、ダウンリンク・シンボルである。
【００７８】
ラジオ・フレーム・コンフィギュレーション・フィールドは、ＭＩＢを送信するラジオ・フレームがＳＩＢ１のリソース、ＰＲＡＣＨリソース、ページング・メッセージのリソース、及びＭＢＳＦＮリソースのうちの少なくとも１つ又は組み合わせにより構成されるかどうかを示すので、具体的に、次の場合又は組み合わせが含まれる。
【００７９】
第１の場合に、ラジオ・フレーム・コンフィギュレーション・フィールドは、ＳＩＢ１のリソースがラジオ・フレームにおいて構成されるかどうかを示す。
【００８０】
第２の場合に、ラジオ・フレーム・コンフィギュレーション・フィールドは、ページング・メッセージのリソースがラジオ・フレームにおいて構成されるかどうかを示す。
【００８１】
第３の場合に、ラジオ・フレーム・コンフィギュレーション・フィールドは、ＭＢＳＦＮリソースがラジオ・フレームにおいて構成されるかどうかを示す。
【００８２】
第４の場合に、ラジオ・フレーム・コンフィギュレーション・フィールドは、ＰＲＡＣＨリソースがラジオ・フレームにおいて構成されるかどうかを示す。
【００８３】
第１の場合に、
ラジオ・フレーム・コンフィギュレーション・フィールドが、ＳＩＢ１のリソースがラジオ・フレームにおいて構成されることを示す場合に、方法は、基地局によって、ラジオ・フレームにおいて設定される第１リソース・セット内のリソースを使用することでＳＩＢ１を送信することを更に含み、あるいは、
ラジオ・フレーム・コンフィギュレーション・フィールドが、ＳＩＢ１のリソースがラジオ・フレームにおいて構成されないことを示す場合に、方法は、ラジオ・フレームを使用することでＳＩＢ１を基地局によって送信することをスキップすることを更に含む。
【００８４】
任意に、基地局がＳＩＢ１を送信する場合に、ＳＩＢ１は、ラジオ・フレームのフレーム番号情報及び第２帯域幅表示情報を含み、第２帯域幅表示情報は、第１範囲内にあるシステム帯域幅を示すために使用される。
【００８５】
ＳＩＢ１は、共通の情報、例えば、セル・アクセス関連情報、セル選択情報、システム・メッセージ・ウィンドウ長さ、最大送信電力、システム情報変化フラグ・ビット、システム・メッセージ・スケジューリング・リスト、ＴＤＤコンフィギュレーション情報、及び周波数帯域幅表示、並びに他のシステム情報ブロックのためのスケジューリング情報のような、セルにキャンプオンするために端末デバイスによって必要とされる情報を更に含む。このようにして、端末デバイスは、ＳＩＢ１に基づきセルにキャンプオンし、接続モードに入り、他のシステム情報ブロックを受信することができることが確かにされ得る。
【００８６】
ＭＩＢは、該ＭＩＢを送信するためのラジオ・フレームのフレーム番号情報を含まないので、端末デバイスは、見つけられたＭＩＢに基づきラジオ・フレームのフレーム番号を取得することができない。ラジオ・フレームのフレーム番号情報は、システム時間情報を端末デバイスに知らせるために使用され、それにより、端末デバイスはセル同期化を実行することができる。ＳＩＢ１は、ラジオ・フレームのフレーム番号情報を含み、それにより、端末デバイスは、セル同期化動作を実行するためにラジオ・フレームのフレーム番号を取得することができ、それによって、ラジオ・フレームのフレーム番号情報がＭＩＢの情報オーバーヘッドの低下により端末デバイスへ送信され得ないという問題を回避する。
【００８７】
ＭＩＢに含まれる第１帯域幅表示情報は、システム帯域幅の第１範囲を示すので、ＭＩＢを受信した後に、端末デバイスは、システム帯域幅の比較的大きい範囲を決定することしかできず、システム帯域幅を正確に決定することができない。特に、利用可能なシステム帯域幅の範囲が比較的大きい場合に、利用可能なシステム帯域幅の範囲が一度しか分割されないならば、分割後に得られた各範囲は比較的大きい。そのため、システム帯域幅を含む範囲は、最初の分割の後に得られた範囲から決定される必要があり、はっきり言えば、利用可能なシステム帯域幅は、最初に、粗粒的な方法で２乃至８つの大きい範囲に分割され、次いで、決定された粗粒的範囲は、システム帯域幅を含む微粒子的な範囲を決定するよう分割される。
【００８８】
ＳＩＢ１に含まれる第２帯域幅表示情報は、第１範囲内にある特定のシステム帯域幅を示す。このようにして、ＳＩＢ１を受信した後に、端末デバイスは、第２帯域幅表示情報に基づきシステム帯域幅を正確に決定することができ、それにより、端末デバイスは、決定されたシステム帯域幅でその後にデータを基地局と交換することができる。
【００８９】
本発明のこの実施形態において、基地局はＭＩＢの情報オーバーヘッドを低減する。しかし、端末デバイスの正常動作を確かにするよう、基地局は２つの情報片、すなわち、ラジオ・フレームのフレーム番号情報及び第２帯域幅表示情報をＳＩＢ１に付加する。すなわち、基地局は、ＳＩＢ１の情報オーバーヘッドを増大させる。これは、ＳＩＢ１がダウンリンク制御シグナリングを使用することによってスケジューリングされ、固定周波数領域リソースに制限されず、時間領域リソースにしか制限されないからである。本発明のこの実施形態において、２つの情報片は、ＳＩＢ１の送信柔軟性を高めるために、時間領域リソースに対するＳＩＢ１の制限を除くようＳＩＢ１に付加される。
【００９０】
第２の場合に、
ラジオ・フレーム・コンフィギュレーション・フレームが、ページング・メッセージのリソースがラジオ・フレームにおいて構成されることを示す場合に、方法は、基地局によって、ラジオ・フレームにおいて設定される第２リソース・セット内のリソースを使用することでページング・メッセージを送信することを更に含み、あるいは、
ラジオ・フレーム・コンフィギュレーション・フレームが、ページング・メッセージのリソースがラジオ・フレームにおいて構成されないことを示す場合に、方法は、ラジオ・フレームを使用することでページング・メッセージを基地局によって送信することをスキップすることを更に含む。
【００９１】
第３の場合に、
ラジオ・フレーム・コンフィギュレーション・フレームが、ＭＢＳＦＮリソースがラジオ・フレームにおいて構成されることを示す場合に、方法は、基地局によって、ラジオ・フレームにおいて設定される第３リソース・セット内のリソースをＭＢＳＦＮリソースとして指定することを更に含み、あるいは、
ラジオ・フレーム・コンフィギュレーション・フレームが、ＭＢＳＦＮリソースがラジオ・フレームにおいて構成されないことを示す場合に、方法は、ＭＢＳＦＮリソースとしてラジオ・フレームにおいてリソースを基地局によって指定することをスキップすることを更に含む。
【００９２】
第４の場合に、
ラジオ・フレーム・コンフィギュレーション・フレームが、ＰＲＡＣＨリソースがラジオ・フレームにおいて構成されることを示す場合に、方法は、基地局によって、ラジオ・フレームにおいて設定される第４リソース・セット内のリソースをＰＲＡＣＨリソースとして指定することを更に含み、あるいは、
ラジオ・フレーム・コンフィギュレーション・フレームが、ＰＲＡＣＨリソースがラジオ・フレームにおいて構成されないことを示す場合に、方法は、ＰＲＡＣＨリソースとしてラジオ・フレームにおいてリソースを基地局によって指定することをスキップすることを更に含む。
【００９３】
前述の４つの場合における第１リソース・セット、第２リソース・セット、第３リソース・セット、及び第４リソース・セットは、サブフレーム・セット、シンボル・セット、及び同様のものであってよい。これは本発明において制限されず、各リソース・セットにおけるサブフレーム又はシンボルの数は、本発明において制限されない。このようにして、本発明のこの実施形態において、ＳＩＢ１、ページング・メッセージ、ＭＢＳＦＮリソース、及びＰＲＡＣＨリソースは、固定ダウンリンク・サブフレームにおいて時間周波数リソースを占有しない。前述の情報を送信する場合に、基地局は、サービス・タイプ及びアプリケーション環境に基づき、前述の情報によって占有されるリソースを動的に調整してよく、それによってシステム柔軟性を改善する。
【００９４】
本発明の前述の実施形態における情報伝送方法に従って、基地局は、第１帯域幅表示情報及びラジオ・フレーム・コンフィギュレーション・フレームを含むＭＩＢを生成し、ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含む。そのため、基地局によってＭＩＢを送信するための情報オーバーヘッドは低減され、基地局の電力消費は削減される。
【００９５】
本発明の実施形態は、情報伝送方法を更に提供する。方法は、ＬＴＥシステム又はＬＴＥ−Ａシステムに適用されてよいが、それらに制限されない。方法は、図１に示されるネットワーク・アーキテクチャに適用され、本発明のこの実施形態における端末デバイスは、ネットワーク・アーキテクチャにおける端末デバイス１０２であってよい。図３を参照すると、方法の処理プロシージャは次のステップを含む。
【００９６】
ステップ３０１：端末デバイスは、予め設定された帯域幅範囲内でＭＩＢを探し、ＭＩＢは第１帯域幅表示情報及びラジオ・フレーム・コンフィギュレーション・フレームを含み、第１帯域幅表示情報は、システム帯域幅の第１範囲を示すために使用され、ラジオ・フレーム・コンフィギュレーション・フレームは、ＭＩＢを送信するラジオ・フレームが、ＳＩＢ１のリソース、ＰＲＡＣＨリソース、ページング・メッセージのリソース、及びＭＢＳＦＮリソースのうちの少なくとも１つ又は組み合わせにより構成されるかどうかを示す。
【００９７】
予め設定された帯域幅範囲は、端末デバイスによって予め設定され、システム帯域幅は、予め設定された帯域幅範囲に含まれる。そのため、端末デバイスは、基地局がＭＩＢをブロードキャストする場合にＭＩＢを見つけることができることが確かにされ得る。
【００９８】
任意に、ＭＩＢは４ビットを含み、第１帯域幅表示情報は１ビット、２ビット、又は３ビットを占有し、ラジオ・フレーム・コンフィギュレーション・フレームは１ビットを占有する。
【００９９】
第１帯域幅表示情報は１ビット乃至３ビットを占有する。そのため、第１帯域幅表示情報が１ビットを占有する場合に、ＭＩＢは２ビットのリザベーション情報を更に含み、第１帯域幅表示情報が２ビットを占有する場合に、ＭＩＢは１ビットのリザベーション情報を更に含み、第１帯域幅表示情報が３ビットを占有する場合に、ＭＩＢはリザベーション情報を含まない。
【０１００】
図２に示される実施形態における第１帯域幅表示情報の記載から、本発明のこの実施形態では、利用可能なシステム帯域幅が複数の範囲に分割された後、基地局及び端末デバイスは両方とも、第１帯域幅表示情報の全ての値と、各値に対応するシステム帯域幅の範囲とを保持することが学習され得る。このようにして、基地局は、第１帯域幅表示情報を含むＭＩＢを送信し、次いで、端末デバイスは、ＭＩＢを取得した後にシステム帯域幅の第１範囲を決定することができる。情報オーバーヘッドは最小限にされ得、ＭＩＢを使用することで端末デバイスによって取得されるシステム帯域幅の正確さは、本発明のこの実施形態における前述の方法を使用することによって改善され得る。
【０１０１】
本発明のこの実施形態において、ラジオ・フレーム・コンフィギュレーション・フィールドは、ＭＩＢを送信するラジオ・フレームが、ＳＩＢ１のリソース、ＰＲＡＣＨリソース、ページング・メッセージのリソース、及びＭＢＳＦＮリソースのうちの少なくとも１つ又は組み合わせにより構成されるかどうかを示す。そのため、その後にラジオ・フレームにおいてＭＩＢを見つけた後、端末デバイスは、ラジオ・フレーム・コンフィギュレーション・フィールドに基づきラジオ・フレームのコンフィギュレーション情報を直接に決定し、そして、ラジオ・フレームのコンフィギュレーション情報に基づき、次の動作、すなわち、ＳＩＢ１についてラジオ・フレームを探索すること、ページング・メッセージについてラジオ・フレームを探索すること、ＭＢＳＦＮリソースについてラジオ・フレームを探索すること、及びラジオ・フレームを使用してＰＲＡＣＨメッセージを送信すること、を実行すべきかどうかを決定することができる。これは、基地局によってＭＩＢを送信するための情報オーバーヘッドを更に低減する。その上、端末デバイスは、ラジオ・フレームのうちにあって、ラジオ・フレーム・コンフィギュレーション・フィールドに基づき取得されるコンフィギュレーション情報に基づき、前述の４つの動作のうちの対応する動作を実行すべきかどうかを決定してよい。そのため、コンテンツの前述の４つの片のうちの一部がラジオ・フレームにおいて構成されない場合に、構成されないコンテンツに対応する動作を端末デバイスが実行することは回避され、それによって端末デバイスの電力消費を削減する。
【０１０２】
結論として、２４ビットのコンテンツを含む従来のＭＩＢと比較して、本発明のこの実施形態における基地局によって送信されるＭＩＢは４ビットのコンテンツを含む。そのため、本発明のこの実施形態における基地局によってＭＩＢを送信するための情報オーバーヘッドは低減され、基地局の電力消費は削減される。
【０１０３】
ステップ３０２：ラジオ・フレームにおいてＭＩＢを見つける場合に、端末デバイスは、ＭＩＢに含まれる第１帯域幅表示情報に基づき、システム帯域幅の第１範囲を決定し、ＭＩＢに含まれるラジオ・フレーム・コンフィギュレーション・フレームに基づき、ラジオ・フレームのコンフィギュレーション情報を取得する。
【０１０４】
ステップ３０２で、端末デバイスがＭＩＢを見つける場合に、第１帯域幅表示情報の全ての値及び各値に対応するシステム帯域幅の範囲は端末デバイスにおいて保持されているので、端末デバイスは、ＭＩＢに含まれる第１帯域幅表示情報に基づき、システム帯域幅の第１範囲を決定してよい。第１帯域幅表示情報によって示される第１範囲は、少なくとも１つの予め設定された利用可能なシステム帯域幅を含み、少なくとも１つの利用可能なシステム帯域幅は現在のシステム帯域幅を含む。
【０１０５】
ラジオ・フレーム・コンフィギュレーション・フィールドは、ＭＩＢを送信するラジオ・フレームがＳＩＢ１のリソース、ＰＲＡＣＨリソース、ページング・メッセージのリソース、及びＭＢＳＦＮリソースのうちの少なくとも１つ又は組み合わせにより構成されるかどうかを示すので、具体的に、次の場合又は組み合わせが含まれる。
【０１０６】
第１の場合に、ラジオ・フレーム・コンフィギュレーション・フィールドは、ＳＩＢ１のリソースがラジオ・フレームにおいて構成されるかどうかを示す。
【０１０７】
第２の場合に、ラジオ・フレーム・コンフィギュレーション・フィールドは、ページング・メッセージのリソースがラジオ・フレームにおいて構成されるかどうかを示す。
【０１０８】
第３の場合に、ラジオ・フレーム・コンフィギュレーション・フィールドは、ＭＢＳＦＮリソースがラジオ・フレームにおいて構成されるかどうかを示す。
【０１０９】
第４の場合に、ラジオ・フレーム・コンフィギュレーション・フィールドは、ＰＲＡＣＨリソースがラジオ・フレームにおいて構成されるかどうかを示す。
【０１１０】
第１の場合に、
ラジオ・フレーム・コンフィギュレーション・フィールドが、ＳＩＢ１のリソースがラジオ・フレームにおいて構成されることを示す場合に、ラジオ・フレームのコンフィギュレーション情報は、第１リソース・セット内のリソースがＳＩＢ１を送信するために使用されることであり、端末デバイスがラジオ・フレームのコンフィギュレーション情報を取得した後に、方法は、端末デバイスによってＳＩＢ１についてラジオ・フレームにおいて第１リソース・セット内の全てのリソースを探索し、第１リソース・セット内のリソース上でＳＩＢ１を取得することを更に含み、あるいは、
ラジオ・フレーム・コンフィギュレーション・フィールドが、ＳＩＢ１のリソースがラジオ・フレームにおいて構成されないことを示す場合に、ラジオ・フレームのコンフィギュレーション情報は、ラジオ・フレームがＳＩＢ１を送信するために使用されないことであり、端末デバイスがラジオ・フレームのコンフィギュレーション情報を取得した後に、方法は、ＳＩＢ１についてラジオ・フレームを端末デバイスによって探索することをスキップすることを更に含む。
【０１１１】
任意に、ＳＩＢ１は、ラジオ・フレームのフレーム番号情報及び第２帯域幅表示情報を含み、第２帯域幅表示情報は、第１範囲内にあるシステム帯域幅を示すために使用される。
【０１１２】
端末デバイスがＳＩＢ１を取得した後、方法は、
端末デバイスによって、第２帯域幅表示情報に基づき第１範囲内にあるシステム帯域幅を決定し、
端末デバイスによって、ラジオ・フレームのフレーム番号情報に基づきラジオ・フレームのフレーム番号を決定する
ことを更に含む。
【０１１３】
ＳＩＢ１は、共通の情報、例えば、セル・アクセス関連情報、セル選択情報、システム・メッセージ・ウィンドウ長さ、最大送信電力、システム情報変化フラグ・ビット、システム・メッセージ・スケジューリング・リスト、ＴＤＤコンフィギュレーション情報、及び周波数帯域幅表示、並びに他のシステム情報ブロックのためのスケジューリング情報のような、セルにキャンプオンするために端末デバイスによって必要とされる情報を更に含む。このようにして、端末デバイスは、ＳＩＢ１に基づきセルにキャンプオンし、接続モードに入り、他のシステム情報ブロックを受信することができることが確かにされ得る。
【０１１４】
ＭＩＢは、該ＭＩＢを送信するためのラジオ・フレームのフレーム番号情報を含まないので、端末デバイスは、見つけられたＭＩＢに基づきラジオ・フレームのフレーム番号を取得することができない。ラジオ・フレームのフレーム番号情報は、システム時間情報を端末デバイスに知らせるために使用され、それにより、端末デバイスはセル同期化を実行することができる。ＳＩＢ１は、ラジオ・フレームのフレーム番号情報を含み、それにより、端末デバイスは、セル同期化動作を実行するためにラジオ・フレームのフレーム番号を取得することができ、それによって、ラジオ・フレームのフレーム番号情報がＭＩＢの情報オーバーヘッドの低下により端末デバイスへ送信され得ないという問題を回避する。
【０１１５】
ＭＩＢに含まれる第１帯域幅表示情報は、システム帯域幅の第１範囲を示すので、ＭＩＢを受信した後に、端末デバイスは、システム帯域幅の比較的大きい範囲を決定することしかできず、システム帯域幅を正確に決定することができない。特に、利用可能なシステム帯域幅の範囲が比較的大きい場合に、利用可能なシステム帯域幅の範囲が一度しか分割されないならば、分割後に得られた各範囲は比較的大きい。そのため、システム帯域幅を含む範囲は、最初の分割の後に得られた範囲から決定される必要があり、はっきり言えば、利用可能なシステム帯域幅は、最初に、粗粒的な方法で２乃至８つの大きい範囲に分割され、次いで、決定された粗粒的範囲は、システム帯域幅を含む微粒子的な範囲を決定するよう分割される。
【０１１６】
ＳＩＢ１に含まれる第２帯域幅表示情報は、第１範囲内にある特定のシステム帯域幅を示す。このようにして、ＳＩＢ１を受信した後に、端末デバイスは、第２帯域幅表示情報に基づきシステム帯域幅を正確に決定することができ、それにより、端末デバイスは、決定されたシステム帯域幅でその後にデータを基地局と交換することができる。
【０１１７】
第２の場合に、
ラジオ・フレーム・コンフィギュレーション・フレームが、ページング・メッセージのリソースがラジオ・フレームにおいて構成されることを示す場合に、ラジオ・フレームのコンフィギュレーション情報は、第２リソース・セット内のリソースがページング・メッセージを送信するために使用されることであり、端末デバイスがラジオ・フレームのコンフィギュレーション情報を取得した後に、方法は、端末デバイスによってページング・メッセージについてラジオ・フレームにおいて第２リソース・セット内の全てのリソースを探索し、第２リソース・セット内のリソース上でページング・メッセージを取得することを更に含み、あるいは、
ラジオ・フレーム・コンフィギュレーション・フレームが、ページング・メッセージのリソースがラジオ・フレームにおいて構成されないことを示す場合に、ラジオ・フレームのコンフィギュレーション情報は、ラジオ・フレームがページング・メッセージを送信するために使用されないことであり、端末デバイスがラジオ・フレームのコンフィギュレーション情報を取得した後に、方法は、ページング・メッセージについてラジオ・フレームを端末デバイスによって探索することをスキップすることを更に含む。
【０１１８】
第３の場合に、
ラジオ・フレーム・コンフィギュレーション・フレームが、ＭＢＳＦＮリソースがラジオ・フレームにおいて構成されることを示す場合に、ラジオ・フレームのコンフィギュレーション情報は、第３リソース・セット内のリソースがＭＢＳＦＮリソースとして指定されることであり、端末デバイスがラジオ・フレームのコンフィギュレーション情報を取得した後に、方法は、端末デバイスによって、ラジオ・フレームにおいて第３リソース・セット内でＭＢＳＦＮリソースを探して決定することを更に含み、あるいは、
ラジオ・フレーム・コンフィギュレーション・フレームが、ＭＢＳＦＮリソースがラジオ・フレームにおいて構成されないことを示す場合に、ラジオ・フレームのコンフィギュレーション情報は、ラジオ・フレームがＭＢＳＦＮリソースを含まないことであり、端末デバイスがラジオ・フレームのコンフィギュレーション情報を取得した後に、方法は、ＭＢＳＦＮリソースについてラジオ・フレームを端末デバイスによって探索することをスキップすることを更に含む。
【０１１９】
第４の場合に、
ラジオ・フレーム・コンフィギュレーション・フレームが、ＰＲＡＣＨリソースがラジオ・フレームにおいて構成されることを示す場合に、ラジオ・フレームのコンフィギュレーション情報は、第４リソース・セット内のリソースがＰＲＡＣＨリソースとして指定されることであり、ＰＲＡＣＨリソースは、ＰＲＡＣＨメッセージを送信するために端末デバイスによって使用され、端末デバイスがラジオ・フレームのコンフィギュレーション情報を取得した後に、方法は、端末デバイスによって、ラジオ・フレームにおいて第４リソース・セット内のリソースを使用することでＰＲＡＣＨメッセージを基地局へ送信することを更に含み、あるいは、
ラジオ・フレーム・コンフィギュレーション・フレームが、ＰＲＡＣＨリソースがラジオ・フレームにおいて構成されないことを示す場合に、ラジオ・フレームのコンフィギュレーション情報は、ラジオ・フレームがＰＲＡＣＨリソースを含まないことであり、端末デバイスがラジオ・フレームのコンフィギュレーション情報を取得した後に、方法は、ラジオ・フレームを使用することでＰＲＡＣＨメッセージを端末デバイスによって送信することをスキップすることを更に含む。
【０１２０】
端末デバイスは、第１リソース・セット、第２リソース・セット、第３リソース・セット、及び第４リソース・セットを保持する。そのため、ＳＩＢ１のリソース、ＰＲＡＣＨリソース、ページング・メッセージのリソース、又はＭＢＳＦＮリソースがラジオ・フレームにおいて構成されることをラジオ・フレーム・コンフィギュレーション・フレームが示す場合に、端末デバイスは、相応に、第１リソース・セット、第２リソース・セット、第３リソース・セット、又は第４リソース・セットを決定してよい。
【０１２１】
前述の４つの場合における第１リソース・セット、第２リソース・セット、第３リソース・セット、及び第４リソース・セットは、サブフレーム・セット、シンボル・セット、及び同様のものであってよい。これは本発明において制限されず、各リソース・セットにおけるサブフレーム又はシンボルの数は、本発明において制限されない。このようにして、本発明のこの実施形態において、ＳＩＢ１、ページング・メッセージ、ＭＢＳＦＮリソース、及びＰＲＡＣＨリソースは、固定ダウンリンク・サブフレームにおいて時間周波数リソースを占有しない。前述の情報を送信する場合に、基地局は、サービス・タイプ及びアプリケーション環境に基づき、前述の情報によって占有されるリソースを動的に調整してよく、それによってシステム柔軟性を改善する。
【０１２２】
本発明の前述の実施形態における情報伝送方法に従って、端末デバイスは、第１帯域幅表示情報及びラジオ・フレーム・コンフィギュレーション・フレームを含み、ラジオ・フレームを使用することで基地局によって送信されるＭＩＢを受信し、第１帯域幅表示情報に基づき、システム帯域幅の第１範囲を決定し、ラジオ・フレーム・コンフィギュレーション・フレームに基づき、ラジオ・フレームのコンフィギュレーション情報を取得する。本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含むので、基地局によってＭＩＢを送信するための情報オーバーヘッドは低減され、基地局の電力消費は削減される。
【０１２３】
前述の実施形態に基づき、本発明は基地局を更に提供する。基地局は、図１に示される情報伝送システムにおける基地局１０１であってよく、図２に示される情報伝送方法を実装するよう構成される。図４を参照すると、基地局４００は処理部４０１及び送信部４０２を含む。
【０１２４】
処理部４０１は、マスタ情報ブロックＭＩＢを生成するよう構成され、ＭＩＢは、第１帯域幅表示情報及びラジオ・フレーム・コンフィギュレーション・フィールドを含み、第１帯域幅表示情報は、システム帯域幅の第１範囲を示すために使用され、ラジオ・フレーム・コンフィギュレーション・フィールドは、ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示す。
【０１２５】
送信部４０２は、ラジオ・フレームにおいて時間周波数リソースを使用することでＭＩＢを送信するよう構成される。
【０１２６】
任意に、ＭＩＢは４ビットを含み、第１帯域幅表示情報は１ビット、２ビット、又は３ビットを占有し、ラジオ・フレーム・コンフィギュレーション・フィールドが１ビットを占有する。
【０１２７】
任意に、ラジオ・フレーム・コンフィギュレーション・フィールドは、ＳＩＢ１のリソースがラジオ・フレームにおいて構成されることを示し、送信部４０２は、ラジオ・フレームにおいて設定される第１リソース・セット内のリソースを使用することでＳＩＢ１を送信するよう更に構成され、あるいは、
ラジオ・フレーム・コンフィギュレーション・フィールドは、ＳＩＢ１のリソースがラジオ・フレームにおいて構成されないことを示し、送信部４０２は、ラジオ・フレームを使用することでＳＩＢ１を送信することをスキップする。
【０１２８】
任意に、ＳＩＢ１は、ラジオ・フレームのフレーム番号情報及び第２帯域幅表示情報を含み、第２帯域幅表示情報は、第１範囲内にあるシステム帯域幅を示すために使用される。
【０１２９】
任意に、ラジオ・フレーム・コンフィギュレーション・フィールドは、ページング・メッセージのリソースがラジオ・フレームにおいて構成されることを示し、送信部４０２は、ラジオ・フレームにおいて設定される第２リソース・セット内のリソースを使用することでページング・メッセージを送信するよう更に構成され、あるいは、
ラジオ・フレーム・コンフィギュレーション・フィールドは、ページング・メッセージのリソースが前記ラジオ・フレームにおいて構成されないことを示し、送信部４０２は、ラジオ・フレームを使用することでページング・メッセージを送信することをスキップする。
【０１３０】
任意に、ラジオ・フレーム・コンフィギュレーション・フィールドは、ＭＢＳＦＮリソースがラジオ・フレームにおいて構成されることを示し、処理部４０１は、ラジオ・フレームにおいて設定される第３リソース・セット内のリソースをＭＢＳＦＮリソースとして指定するよう更に構成され、あるいは、
ラジオ・フレーム・コンフィギュレーション・フィールドは、ＭＢＳＦＮリソースがラジオ・フレームにおいて構成されないことを示し、処理部４０１は、ＭＢＳＦＮリソースとしてラジオ・フレームにおいてリソースを指定することをスキップする。
【０１３１】
任意に、ラジオ・フレーム・コンフィギュレーション・フィールドは、ＰＲＡＣＨリソースがラジオ・フレームにおいて構成されることを示し、処理部４０１は、ラジオ・フレームにおいて設定される第４リソース・セット内のリソースをＰＲＡＣＨリソースとして指定するよう更に構成され、あるいは、
ラジオ・フレーム・コンフィギュレーション・フィールドは、ＰＲＡＣＨリソースがラジオ・フレームにおいて構成されないことを示し、処理部４０１は、ＰＲＡＣＨリソースとしてラジオ・フレームにおいてリソースを指定することをスキップする。
【０１３２】
本発明のこの実施形態において提供される基地局は、第１帯域幅表示情報及びラジオ・フレーム・コンフィギュレーション・フレームを含むＭＩＢを生成し、ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含む。そのため、基地局によってＭＩＢを送信するための情報オーバーヘッドは低減され、基地局の電力消費は削減される。
【０１３３】
前述の実施形態に基づき、本発明は端末デバイスを更に提供する。端末デバイスは、図１に示される情報伝送システムにおける端末デバイス１０２であってよく、図３に示される情報伝送方法を実装するよう構成される。図５を参照すると、端末デバイス５００は受信部５０１及び処理部５０２を含む。
【０１３４】
受信部５０１は、予め設定された帯域幅範囲内でデータを受信するよう構成される。
【０１３５】
任意に、予め設定された帯域幅範囲内のデータは、特定の時間領域範囲内にある予め設定された帯域幅範囲内のデータである。特定の時間領域範囲は、特定の量のシンボル、例えば、１つのシンボル又は４つのシンボル、であってよい。特定の量のシンボルは、本願において制限されず、特定の量のシンボルは、現在の通信システムにおいてＭＩＢによって占有されているシンボルの量であってよいことが理解されるべきである。
【０１３６】
処理部５０２は、受信されたデータからマスタ情報ブロックＭＩＢを探し、ＭＩＢは第１帯域幅表示情報及びラジオ・フレーム・コンフィギュレーション・フィールドを含み、第１帯域幅表示情報は、システム帯域幅の第１範囲を示すために使用され、ラジオ・フレーム・コンフィギュレーション・フィールドは、ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し、そして、ラジオ・フレームにおいてＭＩＢを見つけるよう構成される。
【０１３７】
処理部５０２は、ＭＩＢに含まれる第１帯域幅表示情報に基づき、システム帯域幅の１範囲を決定し
ＭＩＢに含まれるラジオ・フレーム・コンフィギュレーション・フィールドに基づき、ラジオ・フレームのコンフィギュレーション情報を取得する
よう更に構成される。
【０１３８】
任意に、ＭＩＢは４ビットを含み、第１帯域幅表示情報は１ビット、２ビット、又は３ビットを占有し、ラジオ・フレーム・コンフィギュレーション・フィールドが１ビットを占有する。
【０１３９】
任意に、ラジオ・フレーム・コンフィギュレーション・フィールドは、ＳＩＢ１のリソースがラジオ・フレームにおいて構成されることを示し、ラジオ・フレームのコンフィギュレーション情報は、第１リソース・セット内のリソースがＳＩＢ１を送信するために使用されることであり、処理部５０２は、ラジオ・フレームのコンフィギュレーション情報を取得した後に、ＳＩＢ１についてラジオ・フレームにおいて第１リソース・セット内の全てのリソースを探索し、第１リソース・セット内のリソース上でＳＩＢ１を取得するよう更に構成され、あるいは、
ラジオ・フレーム・コンフィギュレーション・フィールドは、ＳＩＢ１のリソースがラジオ・フレームにおいて構成されないことを示し、ラジオ・フレームのコンフィギュレーション情報は、ラジオ・フレームがＳＩＢ１を送信するために使用されないことであり、処理部５０２は、ラジオ・フレームのコンフィギュレーション情報を取得した後に、ＳＩＢ１についてラジオ・フレームを探索することをスキップする。
【０１４０】
任意に、ＳＩＢ１は、ラジオ・フレームのフレーム番号情報及び第２帯域幅表示情報を含み、第２帯域幅表示情報は、第１範囲内にあるシステム帯域幅を示すために使用される。
【０１４１】
処理部５０２は、
ＳＩＢ１を取得した後に、第２帯域幅表示情報に基づき、第１範囲内にあるシステム帯域幅を決定し、
ラジオ・フレームのフレーム番号情報に基づき、ラジオ・フレームのフレーム番号を決定する
よう更に構成される。
【０１４２】
任意に、ラジオ・フレーム・コンフィギュレーション・フィールドは、ページング・メッセージのリソースがラジオ・フレームにおいて構成されることを示し、ラジオ・フレームのコンフィギュレーション情報は、第２リソース・セット内のリソースがページング・メッセージを送信するために使用されることであり、処理部５０２は、ラジオ・フレームのコンフィギュレーション情報を取得した後に、ページング・メッセージについてラジオ・フレームにおいて第２リソース・セット内の全てのリソースを探索し、第２リソース・セット内のリソース上でページング・メッセージを取得するよう更に構成され、あるいは、
ラジオ・フレーム・コンフィギュレーション・フィールドは、ページング・メッセージのリソースがラジオ・フレームにおいて構成されないことを示し、ラジオ・フレームのコンフィギュレーション情報は、ラジオ・フレームがページング・メッセージを送信するために使用されないことであり、処理部５０２は、ラジオ・フレームのコンフィギュレーション情報を取得した後に、ページング・メッセージについてラジオ・フレームを探索することをスキップする。
【０１４３】
任意に、ラジオ・フレーム・コンフィギュレーション・フィールドは、ＭＢＳＦＮリソースがラジオ・フレームにおいて構成されることを示し、ラジオ・フレームのコンフィギュレーション情報は、第３リソース・セット内のリソースがＭＢＳＦＮリソースとして指定されることであり、処理部５０２は、ラジオ・フレームのコンフィギュレーション情報を取得した後に、ラジオ・フレームにおいて、第３リソース・セット内でＭＢＳＦＮリソースを探して決定するよう更に構成され、あるいは、
ラジオ・フレーム・コンフィギュレーション・フィールドは、ＭＢＳＦＮリソースがラジオ・フレームにおいて構成されないことを示し、ラジオ・フレームのコンフィギュレーション情報は、ラジオ・フレームがＭＢＳＦＮリソースを含まないことであり、処理部５０２は、ラジオ・フレームのコンフィギュレーション情報を取得した後に、ＭＢＳＦＮリソースについてラジオ・フレームを探索することをスキップする。
【０１４４】
任意に、ラジオ・フレーム・コンフィギュレーション・フィールドは、ＰＲＡＣＨリソースがラジオ・フレームにおいて構成されることを示し、ラジオ・フレームのコンフィギュレーション情報は、第４リソース・セット内のリソースがＰＲＡＣＨリソースとして指定されることであり、該ＰＲＡＣＨリソースは、ＰＲＡＣＨメッセージを送信するために端末デバイスによって使用され、処理部５０２は、ラジオ・フレームのコンフィギュレーション情報を取得した後に、ラジオ・フレームにおいて第４リソース・セット内のリソースを使用することで基地局へＰＲＡＣＨメッセージを送信するよう更に構成され、あるいは、
ラジオ・フレーム・コンフィギュレーション・フィールドは、ＰＲＡＣＨリソースがラジオ・フレームにおいて構成されないことを示し、ラジオ・フレームのコンフィギュレーション情報は、ラジオ・フレームが前記ＰＲＡＣＨリソースを含まないことであり、ラジオ・フレームのコンフィギュレーション情報を取得した後に、処理部５０２は、ラジオ・フレームを使用することでＰＲＡＣＨメッセージを送信することをスキップする。
【０１４５】
本発明のこの実施形態において提供される端末デバイスは、第１帯域幅表示情報及びラジオ・フレーム・コンフィギュレーション・フレームを含み、ラジオ・フレームを使用することで基地局によって送信されるＭＩＢを受信し、第１帯域幅表示情報に基づき、システム帯域幅の第１範囲を決定し、ラジオ・フレーム・コンフィギュレーション・フレームに基づき、ラジオ・フレームのコンフィギュレーション情報を取得する。本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含むので、基地局によってＭＩＢを送信するための情報オーバーヘッドは低減され、基地局の電力消費は削減される。
【０１４６】
本発明のこの実施形態におけるユニット分割は一例であり、単に論理的な機能分割であることが留意されるべきである。実際の実施では他の分割様態が存在してよい。本願の実施形態における機能ユニットは１つの処理ユニットに一体化されてよく、あるいは、ユニットの夫々は、物理的に単独で存在してよく、あるいは、２つ以上のユニットは１つのユニットに一体化される。一体化されたユニットは、ハードウェアの形で実装されてよく、あるいは、ソフトウェア機能ユニットの形で実装されてよい。
【０１４７】
一体化されたユニットがソフトウェア機能ユニットの形で実装されるか、又は独立した製品として販売若しくは使用される場合に、一体化されたユニットは、コンピュータ読出可能な記憶媒体において記憶されてよい。そのような理解に基づき、本願の技術的解決法、又は先行技術に寄与する部分、又は技術的解決法の全て若しくは一部は、ソフトウェア製品の形で実装されてよい。ソフトウェア製品は、記憶媒体に記憶され、コンピュータ・デバイス（パーソナル・コンピュータ、サーバ、若しくはネットワーク・デバイスであってよい。）又はプロセッサに、本願の実施形態において記載される方法のステップの全て又は一部を実行するよう指示するためのいくつかの命令を含む。前述の記憶媒体は、ＵＳＢ、フラッシュ・ドライブ、リムーバブル・ハード・ディスク、リードオンリー・メモリ（Read-Only  Memory，ＲＯＭ）、ランダム・アクセス・メモリ（Random  Access  Memory，ＲＡＭ）、磁気ディスク、又は光ディスクのような、プログラム・コードを記憶することができる如何なる媒体も含む。
【０１４８】
前述の実施形態に基づき、本発明の実施形態は、基地局を更に提供する。基地局は、図１に示される情報伝送システムにおける基地局１０１であってよく、図２に示される情報伝送方法を実装するよう構成され、図４に示される基地局４００の機能を具備する。図６を参照すると、基地局６００はトランシーバ６０１、プロセッサ６０２、及びバス６０３を含む。
【０１４９】
トランシーバ６０１は、バス６０３を使用することによって、プロセッサ６０２へ接続される。バス６０３は、周辺機器相互接続（peripheral  component  interconnect，略してＰＣＩ）バス、拡張業界標準アーキテクチャ（extended  industry  standard  architecture，略してＥＩＳＡ）バス、又は同様のものであってよい。バスは、アドレス・バス、データ・バス、制御バス、及び同様のものに分類されてよい。表現の簡単のために、ただ１つの太線が表象のために図６で使用されているが、それは、ただ１つのバス又は１種類のバスしか存在しないことを示すわけではない。
【０１５０】
トランシーバ６０１は、情報伝送システムにおいて端末デバイスとの通信インタラクションを実行するよう構成される。
【０１５１】
プロセッサ６０２は、図２に示される情報伝送方法を実装するよう構成され、情報伝送方法は、
マスタ情報ブロックＭＩＢを生成し、該ＭＩＢは第１帯域幅表示情報及びラジオ・フレーム・コンフィギュレーション・フィールドを含み、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し、
前記ラジオ・フレームにおいて時間周波数リソースを使用することで前記ＭＩＢを送信する
ことを含む。
【０１５２】
任意に、ＭＩＢは４ビットを含み、第１帯域幅表示情報は１ビット、２ビット、又は３ビットを占有し、ラジオ・フレーム・コンフィギュレーション・フィールドが１ビットを占有する。
【０１５３】
任意に、ラジオ・フレーム・コンフィギュレーション・フィールドは、ＳＩＢ１のリソースがラジオ・フレームにおいて構成されることを示し、プロセッサ６０２は、ラジオ・フレームにおいて設定される第１リソース・セット内のリソースを使用することでＳＩＢ１を送信するよう更に構成され、あるいは、
ラジオ・フレーム・コンフィギュレーション・フィールドは、ＳＩＢ１のリソースがラジオ・フレームにおいて構成されないことを示し、プロセッサ６０２は、ラジオ・フレームを使用することでＳＩＢ１を送信することをスキップする。
【０１５４】
任意に、ＳＩＢ１は、ラジオ・フレームのフレーム番号情報及び第２帯域幅表示情報を含み、第２帯域幅表示情報は、第１範囲内にあるシステム帯域幅を示すために使用される。
【０１５５】
任意に、ラジオ・フレーム・コンフィギュレーション・フィールドは、ページング・メッセージのリソースがラジオ・フレームにおいて構成されることを示し、プロセッサ６０２は、ラジオ・フレームにおいて設定される第２リソース・セット内のリソースを使用することでページング・メッセージを送信するよう更に構成され、あるいは、
ラジオ・フレーム・コンフィギュレーション・フィールドは、ページング・メッセージのリソースがラジオ・フレームにおいて構成されないことを示し、プロセッサ６０２は、ラジオ・フレームを使用することでページング・メッセージを送信することをスキップする。
【０１５６】
任意に、ラジオ・フレーム・コンフィギュレーション・フィールドは、ＭＢＳＦＮリソースがラジオ・フレームにおいて構成されることを示し、プロセッサ６０２は、ラジオ・フレームにおいて設定される第３リソース・セット内のリソースをＭＢＳＦＮリソースとして指定するよう更に構成され、あるいは、
ラジオ・フレーム・コンフィギュレーション・フィールドは、ＭＢＳＦＮリソースがラジオ・フレームにおいて構成されないことを示し、プロセッサ６０２は、ＭＢＳＦＮリソースとしてラジオ・フレームにおいてリソースを指定することをスキップする。
【０１５７】
任意に、ラジオ・フレーム・コンフィギュレーション・フィールドは、ＰＲＡＣＨリソースがラジオ・フレームにおいて構成されることを示し、プロセッサ６０２は、ラジオ・フレームにおいて設定される第４リソース・セット内のリソースをＰＲＡＣＨリソースとして指定するよう更に構成され、あるいは、
ラジオ・フレーム・コンフィギュレーション・フィールドは、ＰＲＡＣＨリソースがラジオ・フレームにおいて構成されないことを示し、プロセッサ６０２は、ＰＲＡＣＨリソースとしてラジオ・フレームにおいてリソースを指定することをスキップする。
【０１５８】
任意に、基地局６００は、プログラム及び同様のものを記憶するよう構成されたメモリ６０４を更に含む。具体的に、プログラムは、プログラム・コードを含んでよく、プログラム・コードは、コンピュータ動作命令を含む。メモリ６０４は、ランダム・アクセス・メモリ（random  access  memory，略してＲＡＭ）を含んでよく、不揮発性メモリ（non-volatile  memory）、例えば、少なくとも１つの磁気ディスク・ストレージを更に含んでよい。プロセッサ６０２は、図２に示される情報伝送方法を実装するために、前述の機能を実装するようメモリ６０４に記憶されたアプリケーション・プログラムを実行する。
【０１５９】
本発明のこの実施形態において提供される基地局は、第１帯域幅表示情報及びラジオ・フレーム・コンフィギュレーション・フレームを含むＭＩＢを生成し、ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含む。そのため、基地局によってＭＩＢを送信するための情報オーバーヘッドは低減され、基地局の電力消費は削減される。
【０１６０】
前述の実施形態に基づき、本発明の実施形態は、端末デバイスを更に提供する。端末デバイスは、図１に示される情報伝送システムにおける端末デバイス１０２であってよく、図３に示される情報伝送方法を実装するよう構成され、図５に示される端末デバイス５００の機能を具備する。図７を参照すると、端末デバイス７００はトランシーバ７０１、プロセッサ７０２、及びバス７０３を含む。
【０１６１】
トランシーバ７０１は、バス７０３を使用することによって、プロセッサ７０２へ接続される。バス７０３は、周辺機器相互接続（peripheral  component  interconnect，略してＰＣＩ）バス、拡張業界標準アーキテクチャ（extended  industry  standard  architecture，略してＥＩＳＡ）バス、又は同様のものであってよい。バスは、アドレス・バス、データ・バス、制御バス、及び同様のものに分類されてよい。表現の簡単のために、ただ１つの太線が表象のために図７で使用されているが、それは、ただ１つのバス又は１種類のバスしか存在しないことを示すわけではない。
【０１６２】
トランシーバ７０１は、情報伝送システムにおいて基地局との通信インタラクションを実行するよう構成される。
【０１６３】
プロセッサ７０２は、図３に示される情報伝送方法を実装するよう構成され、情報伝送方法は、
予め設定された帯域幅範囲内でマスタ情報ブロックＭＩＢを探し、該ＭＩＢは第１帯域幅表示情報及びラジオ・フレーム・コンフィギュレーション・フィールドを含み、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロックＳＩＢ１のリソース、物理ランダム・アクセス・チャネルＰＲＡＣＨリソース、ページング・メッセージのリソース、及びマルチメディア・ブロードキャスト・マルチキャスト・サービス単一周波数ネットワークＭＢＳＦＮリソースの少なくとも１つ又は組み合わせにより構成されるかどうかを示し、
前記ＭＩＢが前記ラジオ・フレームにおいて見つけられる場合に、前記ＭＩＢに含まれる前記第１帯域幅表示情報に基づき、前記システム帯域幅の前記第１範囲を決定し、
前記ＭＩＢに含まれる前記ラジオ・フレーム・コンフィギュレーション・フィールドに基づき、前記ラジオ・フレームのコンフィギュレーション情報を取得する
ことを含む。
【０１６４】
任意に、ＭＩＢは４ビットを含み、第１帯域幅表示情報は１ビット、２ビット、又は３ビットを占有し、ラジオ・フレーム・コンフィギュレーション・フィールドが１ビットを占有する。
【０１６５】
任意に、ラジオ・フレーム・コンフィギュレーション・フィールドは、ＳＩＢ１のリソースがラジオ・フレームにおいて構成されることを示し、ラジオ・フレームのコンフィギュレーション情報は、第１リソース・セット内のリソースがＳＩＢ１を送信するために使用されることであり、プロセッサ７０２は、ラジオ・フレームのコンフィギュレーション情報を取得した後に、ＳＩＢ１についてラジオ・フレームにおいて第１リソース・セット内の全てのリソースを探索し、第１リソース・セット内のリソース上でＳＩＢ１を取得するよう更に構成され、あるいは、
ラジオ・フレーム・コンフィギュレーション・フィールドは、ＳＩＢ１のリソースがラジオ・フレームにおいて構成されないことを示し、ラジオ・フレームのコンフィギュレーション情報は、ラジオ・フレームがＳＩＢ１を送信するために使用されないことであり、プロセッサ７０２は、ラジオ・フレームのコンフィギュレーション情報を取得した後に、ＳＩＢ１についてラジオ・フレームを探索することをスキップする。
【０１６６】
任意に、ＳＩＢ１は、ラジオ・フレームのフレーム番号情報及び第２帯域幅表示情報を含み、第２帯域幅表示情報は、第１範囲内にあるシステム帯域幅を示すために使用される。
【０１６７】
プロセッサ７０２は、ＳＩＢ１を取得した後に、第２帯域幅表示情報に基づき第１範囲内にあるシステム帯域幅を決定し、
ラジオ・フレームのフレーム番号情報に基づきラジオ・フレームのフレーム番号を決定する
よう更に構成される。
【０１６８】
任意に、ラジオ・フレーム・コンフィギュレーション・フィールドは、ページング・メッセージのリソースがラジオ・フレームにおいて構成されることを示し、ラジオ・フレームのコンフィギュレーション情報は、第２リソース・セット内のリソースがページング・メッセージを送信するために使用されることであり、プロセッサ７０２は、ラジオ・フレームのコンフィギュレーション情報を取得した後に、ページング・メッセージについてラジオ・フレームにおいて第２リソース・セット内の全てのリソースを探索し、第２リソース・セット内のリソース上でページング・メッセージを取得するよう更に構成され、あるいは、
ラジオ・フレーム・コンフィギュレーション・フィールドは、ページング・メッセージのリソースがラジオ・フレームにおいて構成されないことを示し、ラジオ・フレームのコンフィギュレーション情報は、ラジオ・フレームがページング・メッセージを送信するために使用されないことであり、プロセッサ７０２は、ラジオ・フレームのコンフィギュレーション情報を取得した後に、ページング・メッセージについてラジオ・フレームを探索することをスキップする。
【０１６９】
任意に、ラジオ・フレーム・コンフィギュレーション・フィールドは、ＭＢＳＦＮリソースがラジオ・フレームにおいて構成されることを示し、ラジオ・フレームのコンフィギュレーション情報は、第３リソース・セット内のリソースがＭＢＳＦＮリソースとして指定されることであり、プロセッサ７０２は、ラジオ・フレームのコンフィギュレーション情報を取得した後に、ラジオ・フレームにおいて、第３リソース・セット内でＭＢＳＦＮリソースを探して決定するよう更に構成され、あるいは、
ラジオ・フレーム・コンフィギュレーション・フィールドは、ＭＢＳＦＮリソースがラジオ・フレームにおいて構成されないことを示し、ラジオ・フレームのコンフィギュレーション情報は、ラジオ・フレームがＭＢＳＦＮリソースを含まないことであり、プロセッサ７０２は、ラジオ・フレームのコンフィギュレーション情報を取得した後に、ＭＢＳＦＮリソースについてラジオ・フレームを探索することをスキップする。
【０１７０】
任意に、ラジオ・フレーム・コンフィギュレーション・フィールドは、ＰＲＡＣＨリソースがラジオ・フレームにおいて構成されることを示し、ラジオ・フレームのコンフィギュレーション情報は、第４リソース・セット内のリソースがＰＲＡＣＨリソースとして指定されることであり、該ＰＲＡＣＨリソースは、ＰＲＡＣＨメッセージを送信するために端末デバイスによって使用され、プロセッサ７０２は、ラジオ・フレームのコンフィギュレーション情報を取得した後に、ラジオ・フレームにおいて第４リソース・セット内のリソースを使用することで基地局へＰＲＡＣＨメッセージを送信するよう更に構成され、あるいは、
ラジオ・フレーム・コンフィギュレーション・フィールドは、ＰＲＡＣＨリソースがラジオ・フレームにおいて構成されないことを示し、ラジオ・フレームのコンフィギュレーション情報は、ラジオ・フレームがＰＲＡＣＨリソースを含まないことであり、ラジオ・フレームのコンフィギュレーション情報を取得した後に、プロセッサ７０２は、ラジオ・フレームを使用することでＰＲＡＣＨメッセージを送信することをスキップする。
【０１７１】
任意に、端末デバイス７００は、プログラム及び同様のものを記憶するよう構成されたメモリ７０４を更に含む。具体的に、プログラムは、プログラム・コードを含んでよく、プログラム・コードは、コンピュータ動作命令を含む。メモリ７０４は、ランダム・アクセス・メモリ（random  access  memory，略してＲＡＭ）を含んでよく、不揮発性メモリ（non-volatile  memory）、例えば、少なくとも１つの磁気ディスク・ストレージを更に含んでよい。プロセッサ７０２は、図３に示される情報伝送方法を実装するために、前述の機能を実装するようメモリ７０４に記憶されたアプリケーション・プログラムを実行する。
【０１７２】
本発明のこの実施形態において提供される端末デバイスは、第１帯域幅表示情報及びラジオ・フレーム・コンフィギュレーション・フレームを含み、ラジオ・フレームを使用することで基地局によって送信されるＭＩＢを受信し、第１帯域幅表示情報に基づき、システム帯域幅の第１範囲を決定し、ラジオ・フレーム・コンフィギュレーション・フレームに基づき、ラジオ・フレームのコンフィギュレーション情報を取得する。本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含むので、基地局によってＭＩＢを送信するための情報オーバーヘッドは低減され、基地局の電力消費は削減される。
【０１７３】
結論として、本発明の実施形態は、情報伝送方法及び装置を提供する。方法において、基地局は、第１帯域幅表示情報及びラジオ・フレーム・コンフィギュレーション・フレームを含むＭＩＢを生成し、ＭＩＢを、ラジオ・フレームにおいて時間周波数リソースを使用することによって送信する。システム帯域幅情報、ＭＩＢを送信するためのラジオ・フレームのフレーム番号、及びＰＨＩＣＨコンフィギュレーション情報のような複数のコンフィギュレーション・パラメータを含む従来のＭＩＢと比較して、本発明のこの実施形態における基地局によって送信されるＭＩＢは、２つのコンフィギュレーション・パラメータ、すなわち、第１帯域幅表示情報及びラジオ・フレーム・コンフィギュレーション・フレームを含む。そのため、基地局によってＭＩＢを送信するための情報オーバーヘッドは低減され、基地局の電力消費は削減される。
【０１７４】
当業者は、本発明の実施形態が方法、システム、又はコンピュータ・プログラム製品として提供されてよいことを理解するべきである。そのため、本発明は、ハードウェアのみの実施形態、ソフトウェアのみの実施形態、又はソフトウェアとハードウェアとの組み合わせによる実施形態の形を使用してよい。更に、本発明は、コンピュータが使用可能なプログラム・コードを含む１つ以上のコンピュータが使用可能な記憶媒体（制限なしに、ディスク・メモリ、ＣＤ−ＲＯＭ、光学メモリ、及び同様のものを含む。）において実装されるコンピュータ・プログラム製品の形を使用してよい。
【０１７５】
本発明は、本発明の実施形態に従う方法、デバイス（システム）、及びコンピュータ・プログラム製品のフローチャート及び／又はブロック図を参照して記載される。コンピュータ・プログラム命令は、フローチャート及び／又はブロック図における各プロセス及び／又は各ブロック、並びにフローチャート及び／又はブロック図におけるプロセス及び／又はブロックの組み合わせを実装するために使用されてよいことが理解されるべきである。それらのコンピュータ・プログラム命令は、汎用コンピュータ、専用コンピュータ、組み込みコンピュータ、又は何らかの他のプログラム可能なデータ処理デバイスのプロセッサが、コンピュータ又は何らかの他のプログラム可能なデータ処理デバイスのプロセッサによって実行される命令がフローチャート内の１つ以上のプロセスにおいて及び／又はブロック図内の１つ以上のブロックにおいて特定の機能を実装する装置を発生させるように、マシンを発生させるために提供されてよい。
【０１７６】
それらのコンピュータ・プログラム命令は、コンピュータ又は何らかの他のプログラム可能なデータ処理デバイスに特定の様態で働くよう指示することができるコンピュータ読出可能なメモリにおいて記憶されてよく、それにより、コンピュータ読出可能なメモリに記憶されている命令は、命令装置を含むアーチファクトを発生させる。命令装置は、フローチャート内の１つ以上のプロセスにおいて及び／又はブロック図内の１つ以上のブロックにおいて特定の機能を実装する。
【０１７７】
それらのコンピュータ・プログラム命令は、コンピュータ又は他のプログラム可能なデータ処理デバイスにロードされてよく、それにより、一連の動作及びステップがコンピュータ又は他のプログラム可能なデバイスにおいて実行され、それによってコンピュータ実装処理を発生させる。そのため、コンピュータ又は他のプログラム可能なデバイスで実行される命令は、フローチャート内の１つ以上のプロセスにおいて及び／又はブロック図内の１つ以上のブロックにおいて特定の機能を実装するためのステップを提供する。
【０１７８】
本発明のいくつかの好適な実施形態が記載されてきたが、当業者は、彼らが基本の発明概念を学ぶと、それらの実施形態に対して変更及び改良を行うことができる。そのため、続く特許請求の範囲は、本発明の適用範囲内にある好適な実施形態並びに全ての変更及び改良を網羅するように構成されるよう意図される。
【０１７９】
明らかに、当業者は、本発明の実施形態の精神及び適用範囲から逸脱することなしに、本発明の実施形態に対して様々な改良及び変形を行うことができる。本発明は、それらが続く特許請求の範囲及びその同等の技術によって定義される保護の範囲内にあるという条件で、それらの改良及び変形を網羅するよう意図される。
【図１】
2019514284.tif 000004
【図２】
2019514284.tif 000005
【図３】
2019514284.tif 000006
【図４】
2019514284.tif 000007
【図５】
2019514284.tif 000008
【図６】
2019514284.tif 000009
【図７】
2019514284.tif 000010
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
情報伝送方法であって、
基地局によってマスタ情報ブロック（ＭＩＢ）を生成し、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し、
前記基地局によって、前記ラジオ・フレームにおいて時間周波数リソースを使用することで前記ＭＩＢを送信する
ことを有する方法。
【請求項２】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項１に記載の方法。
【請求項３】
前記ラジオ・フレーム・コンフィギュレーション・フィールドは、前記ＳＩＢ１のリソースが前記ラジオ・フレームにおいて構成されることを示し、当該方法は、前記基地局によって、前記ラジオ・フレームにおいて設定される第１リソース・セット内のリソースを使用することで前記ＳＩＢ１を送信することを更に有し、あるいは、
前記ラジオ・フレーム・コンフィギュレーション・フィールドは、前記ＳＩＢ１のリソースが前記ラジオ・フレームにおいて構成されないことを示し、当該方法は、前記ラジオ・フレームを使用することで前記ＳＩＢ１を前記基地局によって送信することをスキップすることを更に有する、
請求項１又は２に記載の方法。
【請求項４】
情報伝送方法であって、
端末デバイスによって、予め設定された帯域幅範囲内でマスタ情報ブロック（ＭＩＢ）を探し、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し、
前記ラジオ・フレームにおいて前記ＭＩＢを見つける場合に、前記端末デバイスによって、前記ＭＩＢに含まれる前記第１帯域幅表示情報に基づき、前記システム帯域幅の前記第１範囲を決定し、
前記ＭＩＢに含まれる前記ラジオ・フレーム・コンフィギュレーション・フィールドに基づき、前記ラジオ・フレームのコンフィギュレーション情報を取得する
ことを有する方法。
【請求項５】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項４に記載の方法。
【請求項６】
前記ラジオ・フレーム・コンフィギュレーション・フィールドは、前記ＳＩＢ１のリソースが前記ラジオ・フレームにおいて構成されることを示し、前記ラジオ・フレームの前記コンフィギュレーション情報は、第１リソース・セット内のリソースが前記ＳＩＢ１を送信するために使用されることであり、前記端末デバイスが前記ラジオ・フレームの前記コンフィギュレーション情報を取得した後に、当該方法は、前記端末デバイスによって前記ＳＩＢ１について前記ラジオ・フレームにおいて前記第１リソース・セット内の全てのリソースを探索し、前記第１リソース・セット内のリソース上で前記ＳＩＢ１を取得することを更に有し、あるいは、
前記ラジオ・フレーム・コンフィギュレーション・フィールドは、前記ＳＩＢ１のリソースが前記ラジオ・フレームにおいて構成されないことを示し、前記ラジオ・フレームの前記コンフィギュレーション情報は、前記ラジオ・フレームが前記ＳＩＢ１を送信するために使用されないことであり、前記端末デバイスが前記ラジオ・フレームの前記コンフィギュレーション情報を取得した後に、当該方法は、前記ＳＩＢ１について前記ラジオ・フレームを前記端末デバイスによって探索することをスキップすることを更に有する、
請求項４又は５に記載の方法。
【請求項７】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用され、
前記端末デバイスが前記ＳＩＢ１を取得した後に、当該方法は、
前記端末デバイスによって、前記第２帯域幅表示情報に基づき前記第１範囲内にある前記システム帯域幅を決定し、
前記端末デバイスによって、前記ラジオ・フレームの前記フレーム番号情報に基づき前記ラジオ・フレームのフレーム番号を決定する
ことを更に有する、
請求項６に記載の方法。
【請求項８】
マスタ情報ブロック（ＭＩＢ）を生成するよう構成される処理部であり、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示す、前記処理部と、
前記ラジオ・フレームにおいて時間周波数リソースを使用することで前記ＭＩＢを送信するよう構成される送信部と
を有する基地局。
【請求項９】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項８に記載の基地局。
【請求項１０】
前記ラジオ・フレーム・コンフィギュレーション・フィールドは、前記ＳＩＢ１のリソースが前記ラジオ・フレームにおいて構成されることを示し、前記送信部は、前記ラジオ・フレームにおいて設定される第１リソース・セット内のリソースを使用することで前記ＳＩＢ１を送信するよう更に構成され、あるいは、
前記ラジオ・フレーム・コンフィギュレーション・フィールドは、前記ＳＩＢ１のリソースが前記ラジオ・フレームにおいて構成されないことを示し、前記送信部は、前記ラジオ・フレームを使用することで前記ＳＩＢ１を送信することをスキップする、
請求項８又は９に記載の基地局。
【請求項１１】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用される、
請求項１０に記載の基地局。
【請求項１２】
予め設定された帯域幅範囲内でデータを受信するよう構成される受信部と、
前記受信部によって受信された前記データからマスタ情報ブロック（ＭＩＢ）を探し、該ＭＩＢは、第１帯域幅表示情報及びラジオ・フレーム・コンフィギュレーション・フィールドを有し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し；前記ラジオ・フレームにおいて前記ＭＩＢを見つけ；前記ＭＩＢに含まれる前記第１帯域幅表示情報に基づき、前記システム帯域幅の前記第１範囲を決定し；前記ＭＩＢに含まれる前記ラジオ・フレーム・コンフィギュレーション・フィールドに基づき前記ラジオ・フレームのコンフィギュレーション情報を取得するよう構成される処理部と
を有する端末デバイス。
【請求項１３】
前記ＭＩＢは４ビットを有し、前記第１帯域幅表示情報は１ビット、２ビット、又は３ビットを占有し、前記ラジオ・フレーム・コンフィギュレーション・フィールドが１ビットを占有する、
請求項１２に記載の端末デバイス。
【請求項１４】
前記ラジオ・フレーム・コンフィギュレーション・フィールドは、前記ＳＩＢ１のリソースが前記ラジオ・フレームにおいて構成されることを示し、前記ラジオ・フレームの前記コンフィギュレーション情報は、第１リソース・セット内のリソースが前記ＳＩＢ１を送信するために使用されることであり、前記処理部は、前記ラジオ・フレームの前記コンフィギュレーション情報を取得した後に、前記ＳＩＢ１について前記ラジオ・フレームにおいて前記第１リソース・セット内の全てのリソースを探索し、前記第１リソース・セット内のリソース上で前記ＳＩＢ１を取得するよう更に構成され、あるいは、
前記ラジオ・フレーム・コンフィギュレーション・フィールドは、前記ＳＩＢ１のリソースが前記ラジオ・フレームにおいて構成されないことを示し、前記ラジオ・フレームの前記コンフィギュレーション情報は、前記ラジオ・フレームが前記ＳＩＢ１を送信するために使用されないことであり、前記処理部は、前記ラジオ・フレームの前記コンフィギュレーション情報を取得した後に、前記ＳＩＢ１について前記ラジオ・フレームを探索することをスキップする、
請求項１２又は１３に記載の端末デバイス。
【請求項１５】
前記ＳＩＢ１は、前記ラジオ・フレームのフレーム番号情報及び第２帯域幅表示情報を有し、前記第２帯域幅表示情報は、前記第１範囲内にある前記システム帯域幅を示すために使用され、
前記処理部は、前記ＳＩＢ１を取得した後に、前記第２帯域幅表示情報に基づき前記第１範囲内にある前記システム帯域幅を決定し、
前記ラジオ・フレームの前記フレーム番号情報に基づき前記ラジオ・フレームのフレーム番号を決定するよう更に構成される、
請求項１４に記載の端末デバイス。
【手続補正２】
【補正対象書類名】明細書
【補正対象項目名】０００６
【補正方法】変更
【補正の内容】
【０００６】
［概要］
本発明は、基地局によってＭＩＢを送信するための極端に高い情報オーバーヘッドの結果として起こる基地局の高電力消費の問題を解消するために、情報伝送方法及び装置を提供する。
【手続補正３】
【補正対象書類名】明細書
【補正対象項目名】０００８
【補正方法】変更
【補正の内容】
【０００８】
第１の態様に従って、本発明の実施形態は、情報伝送方法を提供し、方法は：第１帯域幅表示情報及びラジオ・フレーム・コンフィギュレーション・フィールドを含むマスタ情報ブロック（ＭＩＢ）を基地局によって生成し、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し；前記基地局によって、前記ラジオ・フレームにおいて時間周波数リソースを使用することで前記ＭＩＢを送信することを含む。
【手続補正４】
【補正対象書類名】明細書
【補正対象項目名】００２３
【補正方法】変更
【補正の内容】
【００２３】
他の態様に従って、本発明の実施形態は、
端末デバイスによって、予め設定された帯域幅範囲内でマスタ情報ブロック（ＭＩＢ）を探し、該ＭＩＢは、第１帯域幅表示情報及びラジオ・フレーム・コンフィギュレーション・フィールドを含み、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し、
前記ラジオ・フレームにおいて前記ＭＩＢを見つける場合に、前記端末デバイスによって、前記ＭＩＢに含まれる前記第１帯域幅表示情報に基づき、前記システム帯域幅の前記第１範囲を決定し、前記ＭＩＢに含まれる前記ラジオ・フレーム・コンフィギュレーション・フィールドに基づき、前記ラジオ・フレームのコンフィギュレーション情報を取得する
ことを含む情報伝達方法を提供する。
【手続補正５】
【補正対象書類名】明細書
【補正対象項目名】００４９
【補正方法】変更
【補正の内容】
【００４９】
本発明の実施形態は、基地局によってＭＩＢを送信するための極端に高い情報オーバーヘッドの結果として起こる基地局の高電力消費についての先行技術の問題を解消するために、情報伝送方法及び装置を提供する。本発明における方法及び装置は、同じ発明概念に基づく。方法及び装置の問題解決原理は同様であるから、相互参照が方法及び装置の実施に対して行われてよく、繰り返しとなる記載は提供されない。
【手続補正６】
【補正対象書類名】明細書
【補正対象項目名】００６９
【補正方法】変更
【補正の内容】
【００６９】
前述の問題を回避し、情報オーバーヘッドを低減し、ＭＩＢを使用することで端末デバイスによって取得されるシステム帯域幅の正確さを改善するよう、本発明のこの実施形態では、利用可能なシステム帯域幅は複数の範囲に分割される。例えば、利用可能なシステム帯域幅が１Ｍ（Ｍ）から１０Ｍである場合に、利用可能なシステム帯域幅は２つの範囲、すなわち、１Ｍから５Ｍ（１Ｍ及び５Ｍを含む。）及び５Ｍから１０Ｍ（５Ｍ及び１０Ｍを含む。）、に分割されてよい。システム帯域幅が５Ｍから１０Ｍ（５Ｍ及び１０Ｍを含む。）の範囲に及ぶと基地局が決定する場合に、基地局は、最初に、５Ｍから１０Ｍ（５Ｍ及び１０Ｍを含む。）を示す第１帯域幅表示情報を生成する。明らかに、第１帯域幅表示情報によって示される第１範囲は、少なくとも１つの予め設定された利用可能なシステム帯域幅を含み、少なくとも１つの利用可能なシステム帯域幅は、現在のシステム帯域幅を含む。
【手続補正７】
【補正対象書類名】明細書
【補正対象項目名】０１２４
【補正方法】変更
【補正の内容】
【０１２４】
処理部４０１は、マスタ情報ブロック（ＭＩＢ）を生成するよう構成され、ＭＩＢは、第１帯域幅表示情報及びラジオ・フレーム・コンフィギュレーション・フィールドを含み、第１帯域幅表示情報は、システム帯域幅の第１範囲を示すために使用され、ラジオ・フレーム・コンフィギュレーション・フィールドは、ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示す。
【手続補正８】
【補正対象書類名】明細書
【補正対象項目名】０１３６
【補正方法】変更
【補正の内容】
【０１３６】
処理部５０２は、受信されたデータからマスタ情報ブロック（ＭＩＢ）を探し、ＭＩＢは第１帯域幅表示情報及びラジオ・フレーム・コンフィギュレーション・フィールドを含み、第１帯域幅表示情報は、システム帯域幅の第１範囲を示すために使用され、ラジオ・フレーム・コンフィギュレーション・フィールドは、ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し、そして、ラジオ・フレームにおいてＭＩＢを見つけるよう構成される。
【手続補正９】
【補正対象書類名】明細書
【補正対象項目名】０１５１
【補正方法】変更
【補正の内容】
【０１５１】
プロセッサ６０２は、図２に示される情報伝送方法を実装するよう構成され、情報伝送方法は、
マスタ情報ブロック（ＭＩＢ）を生成し、該ＭＩＢは第１帯域幅表示情報及びラジオ・フレーム・コンフィギュレーション・フィールドを含み、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し、
前記ラジオ・フレームにおいて時間周波数リソースを使用することで前記ＭＩＢを送信する
ことを含む。
【手続補正１０】
【補正対象書類名】明細書
【補正対象項目名】０１６３
【補正方法】変更
【補正の内容】
【０１６３】
プロセッサ７０２は、図３に示される情報伝送方法を実装するよう構成され、情報伝送方法は、
予め設定された帯域幅範囲内でマスタ情報ブロック（ＭＩＢ）を探し、該ＭＩＢは第１帯域幅表示情報及びラジオ・フレーム・コンフィギュレーション・フィールドを含み、前記第１帯域幅表示情報は、システム帯域幅の第１範囲を示すために使用され、前記ラジオ・フレーム・コンフィギュレーション・フィールドは、前記ＭＩＢを送信するラジオ・フレームがシステム情報ブロック（ＳＩＢ１）のリソース、物理ランダム・アクセス・チャネル（ＰＲＡＣＨ）リソース、ページング・メッセージのリソース、及びマルチメディア・ブロードキャスト・マルチキャスト・サービス単一周波数ネットワーク（ＭＢＳＦＮ）リソースの少なくとも１つ又は組み合わせにより構成されるかどうかを示し、
前記ＭＩＢが前記ラジオ・フレームにおいて見つけられる場合に、前記ＭＩＢに含まれる前記第１帯域幅表示情報に基づき、前記システム帯域幅の前記第１範囲を決定し、
前記ＭＩＢに含まれる前記ラジオ・フレーム・コンフィギュレーション・フィールドに基づき、前記ラジオ・フレームのコンフィギュレーション情報を取得する
ことを含む。
【国際調査報告】
2019514284.tif 000011
2019514284.tif 000012
2019514284.tif 000013
2019514284.tif 000014